(57)【特許請求の範囲】
【請求項１】
洗浄水によって洗浄し、汚物を排出する水洗大便器装置であって、
便器本体と、
前記便器本体を洗浄する洗浄水を貯水する洗浄水タンクと、
前記洗浄水タンク内に洗浄水を給水する給水装置と、
前記洗浄水タンク内の上部に設けられるフロートスイッチであって、洗浄水の水位に連動して上下移動するフロートと、前記フロートが上下移動可能に取付けられている軸部とを有し、洗浄水の水位の上昇により、前記フロートが前記軸部上を所定位置まで上昇したときに給水停止信号を発信するフロートスイッチと、
前記フロートスイッチの発信した給水停止信号を受信することにより前記給水装置による洗浄水の給水を停止させるように制御する制御装置と、
前記洗浄水タンクの内部おいて、前記フロートの少なくとも下部の外側を囲うように形成されたフロート上昇速度制御タンクと、を有し、
前記フロート上昇速度制御タンクは、水抜き用の水抜き穴を形成する水抜き穴部と、前記フロートの下端部分より上部に形成された窓部と、を備え、
前記フロート上昇速度制御タンクは、前記給水装置による前記洗浄水タンク内への洗浄水の給水により、前記洗浄水タンク内において洗浄水の水位が上昇し、洗浄水の水位が前記窓部に到達するとき、前記洗浄水タンク内の洗浄水が前記フロートの下端部分より上部に形成された前記窓部から前記フロート上昇速度制御タンク内に流入することにより、前記フロート上昇速度制御タンク内の洗浄水の水位の上昇速度が、前記洗浄水タンク内の洗浄水の水位の上昇速度よりも増大されるように形成され、前記所定位置は、前記窓部の下端部よりも高い位置に設定されることを特徴とする水洗大便器装置。
【請求項２】
前記フロート上昇速度制御タンクの前記窓部は、ほぼ同じ高さ位置に形成されている請求項１に記載の水洗大便器装置。
【請求項３】
前記フロート上昇速度制御タンクの前記窓部は、前記フロート上昇速度制御タンクのほぼ全周に形成されている請求項１又は２に記載の水洗大便器装置。
【請求項４】
前記フロート上昇速度制御タンクの前記水抜き穴部は、洗浄水の水位の上昇により受ける浮力により、前記水抜き用の水抜き穴部を閉止する前記水抜き穴用フロート部を備えている請求項１乃至３の何れか１項に記載の水洗大便器装置。
【請求項５】
前記フロート上昇速度制御タンク内の洗浄水の水位の上昇速度は、７ｍｍ/ｓ〜１００ｍｍ/ｓの範囲の速度とされている請求項１乃至４の何れか１項に記載の水洗大便器装置。
【請求項６】
前記フロート上昇速度制御タンク内の底部に形成された前記水抜き穴部は、直径１ｍｍ〜１５ｍｍの範囲の大きさの孔により形成されている請求項１乃至５の何れか１項に記載の水洗大便器装置。
【請求項７】
前記フロート上昇速度制御タンクは、さらに、前記窓部の下端から外方に向かって斜め下方に延びる庇部を備えている請求項１乃至６の何れか１項に記載の水洗大便器装置。
【請求項８】
前記フロート上昇速度制御タンクの前記窓部は、前記洗浄水タンクの中央領域側の前記フロート上昇速度制御タンクの壁面において形成されている請求項１に記載の水洗大便器装置。
【請求項９】
前記フロート上昇速度制御タンクは、さらに、前記窓部の下端から外方に向かって延びる庇部を備えている請求項８に記載の水洗大便器装置。
【請求項１０】
前記フロート上昇速度制御タンクは、さらに、前記窓部の下端から外方に向かって斜め下方に延びる庇部を備えている請求項８に記載の水洗大便器装置。
【請求項１１】
前記フロート上昇速度制御タンクは、前記フロート上昇速度制御タンクの底部において、前記フロートの前記軸部に取付けられる取付開口部を備え、
前記取付開口部は、前記軸部に取付けられた状態で、前記軸部に対する前記フロート上昇速度制御タンクの傾きを抑制する傾き抑制部を備えている請求項１、８乃至１０の何れか１項に記載の水洗大便器装置。
【請求項１２】
前記フロート上昇速度制御タンクは、
前記水抜き穴部をシール部によって閉止する閉止姿勢と、前記閉止姿勢から前記シール部を斜めに移動させることにより前記水抜き穴部を開放する開放姿勢とを有する開閉機構を備え、
前記開閉機構は、
前記シール部及び前記シール部に浮力を作用させる水抜き穴用フロート部を支持する支持腕と、
前記支持腕と前記支持腕を取付ける支持腕取付部との間の隙間に向かって突出することにより、前記支持腕と前記支持腕取付部との間の接触を抑制させる凸部とを備えている、請求項１、８乃至１１の何れか１項に記載の水洗大便器装置。
【発明の詳細な説明】
【技術分野】
【０００１】
本発明は、水洗大便器装置に係り、特に、洗浄水によって洗浄し、汚物を排出する水洗大便器装置に関する。
【背景技術】
【０００２】
従来から、特許文献１に示すように、水洗大便器に洗浄水を供給するための貯水タンク内の上部にフロートスイッチを配置し、洗浄水の水位が、給水中に満水水位に到達するとき、フロートスイッチが洗浄水の水位が満水水位に到達したことを検知し、洗浄水の給水を停止させるようなフロートスイッチが知られている。
特許文献１及び２に示すように、貯水タンク内の水位を検出するフロートスイッチは、貯水タンクに取付けられるベース部と、ベース部から延びる支持軸と、この支持軸に沿って上下動できるフロートとを備えている。
【先行技術文献】
【特許文献】
【０００３】
【特許文献１】特開２０１０−２３６２０２号公報
【特許文献２】特開２００１−３２３５４０号公報
【発明の概要】
【発明が解決しようとする課題】
【０００４】
しかしながら、上述のような従来のフロートスイッチにおいては、支持軸に沿って上下動できるフロートの動作が不安定となり、洗浄水の水位の検知が確実に行えない場合があるという問題が生じていた。
例えば、フロートスイッチのフロートと支持軸とが接触した状態で静止している場合において、フロートスイッチのフロートが支持軸との間において静止摩擦力が発生されるため、給水時に洗浄水の水位が満水水位に到達してもフロートが支持軸に対して移動されず、フロートスイッチが作動されない又は作動のタイミングが遅延する場合があるという問題がある。また、例えば、フロートスイッチのフロート又は支持軸に気泡が付着する場合において、気泡等の付着により、フロートの移動が妨げられ、給水時に洗浄水の水位が満水水位に到達してもフロートが支持軸に対して移動されず、フロートスイッチが作動されない又は作動のタイミングが遅延する場合があるという問題がある。
【０００５】
そこで、本発明は、上述した従来技術の問題点と課題を解決するためになされたものであり、洗浄水の水位が上昇しているにも関わらずフロートが軸部上で移動を妨げられ、フロートスイッチが適切なタイミングで動作せず、給水の停止のタイミングが遅れることを抑制することができ、フロートスイッチを確実に動作させ、給水の停止を確実に行うことができる水洗大便器装置を提供することを目的としている。
【課題を解決するための手段】
【０００６】
上記の目的を達成するために、本発明は、洗浄水によって洗浄し、汚物を排出する水洗大便器装置であって、便器本体と、便器本体を洗浄する洗浄水を貯水する洗浄水タンクと、洗浄水タンク内に洗浄水を給水する給水装置と、洗浄水タンク内の上部に設けられるフロートスイッチであって、洗浄水の水位に連動して上下移動するフロートと、フロートが上下移動可能に取付けられている軸部とを有し、洗浄水の水位の上昇により、フロートが軸部上を所定位置まで上昇したときに給水停止信号を発信するフロートスイッチと、フロートスイッチの発信した給水停止信号を受信することにより給水装置による洗浄水の給水を停止させるように制御する制御装置と、洗浄水タンクの内部おいて、フロートの少なくとも下部の外側を囲うように形成されたフロート上昇速度制御タンクと、を有し、フロート上昇速度制御タンクは、水抜き用の水抜き穴を形成する水抜き穴部と、フロートの下端部分より上部に形成された窓部と、を備え、フロート上昇速度制御タンクは、給水装置による洗浄水タンク内への洗浄水の給水により、洗浄水タンク内において洗浄水の水位が上昇し、洗浄水の水位が窓部に到達するとき、洗浄水タンク内の洗浄水がフロートの下端部分より上部に形成された窓部からフロート上昇速度制御タンク内に流入することにより、フロート上昇速度制御タンク内の洗浄水の水位の上昇速度が、洗浄水タンク内の洗浄水の水位の上昇速度よりも増大されるように形成され、前記所定位置は、前記窓部の下端部よりも高い位置に設定されることを特徴としている。
このように構成された本発明においては、フロート上昇速度制御タンクは、給水時に洗浄水タンク内において洗浄水の水位が上昇し、洗浄水の水位が窓部に到達するとき、洗浄水タンク内の洗浄水がフロートの下端部分より上部に形成された窓部からフロート上昇速度制御タンク内に流入するように形成されている。フロート上昇速度制御タンク内の洗浄水の水位の上昇速度は、洗浄水タンク内の洗浄水の水位の上昇速度よりも増大される。よって、フロートが、増大された水位の上昇速度に対応して、増大された浮力を受ける。従って、フロートスイッチのフロートが軸部との間において静止摩擦力の発生、気泡の付着等の移動を妨げようとする力を受ける場合においても、フロートがフロートと軸部との間の移動を妨げようとする力に打ち勝つような増大された浮力を受けて軸部に対して上昇しやすくなる。よって、洗浄水の水位が上昇しているにも関わらずフロートが軸部上で移動を妨げられ、フロートスイッチが適切なタイミングで動作せず、給水の停止のタイミングが遅れることを抑制することができる。
また、給水時に洗浄水の水位が窓部に到達するとき、洗浄水がフロートの上部側に形成された窓部からフロート上昇速度制御タンク内に落下するため、水面の乱れを生じさせ、フロートを揺らすことにより、フロートがフロートと軸部との間の静止摩擦力に打ち勝つような力を受け、フロートと軸部との間の静止摩擦力を解除させやすくして、フロートを軸部に対して上昇させやすくすることができる。よって、洗浄水の水位が上昇しているにも関わらずフロートが軸部上で移動を妨げられ、フロートスイッチが適切なタイミングで動作せず、給水の停止のタイミングが遅れることを抑制することができる。
従って、フロートスイッチを確実に動作させ、給水の停止を確実に行うことができる。
【０００７】
本発明において、好ましくは、フロート上昇速度制御タンクの窓部は、フロート上昇速度制御タンクのほぼ同じ高さ位置に形成されている。
このように構成された本発明においては、給水時に洗浄水タンク内において洗浄水の水位が上昇し、洗浄水の水位が窓部に到達するとき、洗浄水タンク内の洗浄水が、フロート上昇速度制御タンクのほぼ同じ高さ位置に形成されている窓部から、フロート上昇速度制御タンク内にほぼ同じタイミングで一気に流入が開始される。よって、フロート上昇速度制御タンク内の洗浄水の水位の上昇速度は、洗浄水タンク内の洗浄水の水位の上昇速度よりもより増大される。従って、フロートが、より増大された水位の上昇速度に対応して、より増大された浮力を受けることができる。
【０００８】
本発明において、好ましくは、フロート上昇速度制御タンクの窓部は、フロート上昇速度制御タンクのほぼ全周に形成されている。
このように構成された本発明においては、給水時に洗浄水タンク内において洗浄水の水位が上昇し、洗浄水の水位が窓部に到達するとき、洗浄水タンク内の洗浄水が、フロート上昇速度制御タンクのほぼ全周に形成されている窓部から、フロート上昇速度制御タンク内にほぼ全周から一気に流入する。よって、フロート上昇速度制御タンク内の洗浄水の水位の上昇速度は、洗浄水タンク内の洗浄水の水位の上昇速度よりもより増大される。従って、フロートが、より増大された水位の上昇速度に対応して、より増大された浮力を受けることができる。
【０００９】
本発明において、好ましくは、フロート上昇速度制御タンクの水抜き穴部は、洗浄水の水位の上昇により受ける浮力により、水抜き用の水抜き穴部を閉止する水抜き穴用フロート部を備えている。
このように構成された本発明においては、水抜き穴用フロート部が、洗浄水の水位の上昇により受ける浮力により、水抜き用の水抜き穴部を閉止するので、洗浄水タンク内において洗浄水の水位が上昇し、洗浄水の水位が窓部に到達するまで、洗浄水が水抜き用の水抜き穴部からフロート上昇速度制御タンク内に流入することを防ぐことができる。
従って、洗浄水を窓部から空の状態のフロート上昇速度制御タンク内に一気に流入させることができ、フロート上昇速度制御タンク内の洗浄水の水位の上昇速度は、洗浄水タンク内の洗浄水の水位の上昇速度よりも増大されることができ、フロートが、増大された水位の上昇速度に対応して、増大された浮力を受けることができる。
また、給水時に洗浄水の水位が窓部に到達するとき、洗浄水がフロートの下端部分より上部側に形成された窓部からほぼ空の状態のフロート上昇速度制御タンク内に落下するため、水面の乱れを生じさせ、フロートを揺らすことにより、フロートがフロートと軸部との間の静止摩擦力に打ち勝つような力を受け、フロートと軸部との間の静止摩擦力を解除させやすくして、フロートを軸部に対して上昇させやすくすることができる。
【００１０】
本発明において、好ましくは、フロート上昇速度制御タンク内の洗浄水の水位の上昇速度は、７ｍｍ/ｓ〜１００ｍｍ/ｓの範囲の速度とされている。
このように構成された本発明においては、フロート上昇速度制御タンク内の洗浄水の水位の上昇速度は、７ｍｍ/ｓ〜１００ｍｍ/ｓの範囲の速度とされている。従って、フロートが、７ｍｍ/ｓ〜１００ｍｍ/ｓの範囲の水位の上昇速度に対応して、より増大された浮力を受けることができる。
【００１１】
本発明において、好ましくは、フロート上昇速度制御タンク内の底部に形成された水抜き穴部は、直径１ｍｍ〜１５ｍｍの範囲の大きさの孔により形成されている。
このように構成された本発明においては、水抜き穴部が、直径１ｍｍ〜１５ｍｍの範囲の大きさの孔により形成されているので、洗浄水タンク内の洗浄水の排水に伴う洗浄水の水位の下降中に、フロート上昇速度制御タンク内の洗浄水が水抜き穴部の孔から洗浄水タンク内に全部又は概ね全部流出されるようになっており、さらに、洗浄水タンクの給水時に、フロート上昇速度制御タンクの周りの洗浄水の水位が窓部に到達するまでに、水抜き穴部の孔からフロート上昇速度制御タンク内に流入する洗浄水の水量がフロート部の下端部分よりも低い位置の比較的少ない水量に抑制される。従って、洗浄水を窓部から比較的低い水位の状態のフロート上昇速度制御タンク内に一気に流入させることができ、フロート上昇速度制御タンク内の洗浄水の水位の上昇速度は、洗浄水タンク内の洗浄水の水位の上昇速度よりも増大されることができ、フロートが、増大された水位の上昇速度に対応して、増大された浮力を受けることができる。
また、給水時に洗浄水の水位が窓部に到達するとき、洗浄水がフロートの下端部分より上部側に形成された窓部から比較的低い水位の状態のフロート上昇速度制御タンク内に落下するため、水面の乱れを生じさせ、フロートを揺らすことにより、フロートがフロートと軸部との間の静止摩擦力に打ち勝つような力を受け、フロートと軸部との間の静止摩擦力を解除させやすくして、フロートを軸部に対して上昇させやすくすることができる。
【００１２】
本発明において、好ましくは、フロート上昇速度制御タンクは、さらに、前記窓部の下端から外方に向かって斜め下方に延びる庇部を備えている。
このように構成された本発明においては、洗浄水タンク内に入った浮遊物等の小物体が、表面張力によりフロート上昇速度制御タンクの窓部の下方の外壁面に沿って存在する場合においても、庇部が窓部の下端から外方に向かって斜め下方に延びるので、洗浄水タンク内の水位の上昇に伴って上昇する小物体を、窓部の下方から窓部の高さまで上昇させないように庇部によって引っかけることができる。従って、フロート上昇速度制御タンクの窓部の下方の外壁面に沿う位置に存在する小物体が、フロート上昇速度制御タンクの窓部内へ浸入することを抑制することができる。
また、洗浄水タンク内の洗浄水の水位が庇部の高さにおいて徐々に上昇する場合において、庇部が窓部の下端から外方に向かって斜め下方に延びているので、水平な洗浄水の水面と斜め下方に延びる庇部の上面との間で比較的大きな表面張力が発生することを抑制することができる。従って、洗浄水が庇部の上面から窓部内に流入するタイミングが表面張力の影響により遅れる又はばらつくことを抑制することができ、フロート上昇速度制御タンク内の水位上昇のタイミングの遅延が生じる問題を低減することができ、フロートスイッチの作動タイミングを精度良く保つことができる。
【００１３】
本発明において、好ましくは、フロート上昇速度制御タンクの前記窓部は、洗浄水タンクの中央領域側の前記フロート上昇速度制御タンクの壁面において形成されている。
このように構成された本発明においては、洗浄水タンク内に入ったゴミ、浮遊物等の小物体は、表面張力により洗浄水タンクの内側壁面に集まりやすい。従って、フロート上昇速度制御タンクの窓部を、洗浄水タンクの中央領域側のフロート上昇速度制御タンクの壁面において形成することにより、洗浄水タンクの内側壁面に集まるゴミ、浮遊物等の小物体が、洗浄水タンクの中央領域側の窓部内へ浸入することを抑制することができる。
【００１４】
本発明において、好ましくは、フロート上昇速度制御タンクは、さらに、窓部の下端から外方に向かって延びる庇部を備えている。
このように構成された本発明においては、洗浄水タンク内に入った浮遊物等の小物体が、表面張力によりフロート上昇速度制御タンクの窓部の下方の外壁面に沿って存在する場合においても、庇部が窓部の下端から外方に向かって延びるので、洗浄水タンク内の水位の上昇に伴って上昇する小物体を、窓部の下方から窓部の高さまで上昇させないように庇部によって引っかけることができる。従って、フロート上昇速度制御タンクの窓部の下方の外壁面に沿う位置に存在する小物体が、フロート上昇速度制御タンクの窓部内へ浸入することを抑制することができる。
【００１５】
本発明において、好ましくは、フロート上昇速度制御タンクは、さらに、窓部の下端から外方に向かって斜め下方に延びる庇部を備えている。
このように構成された本発明においては、洗浄水タンク内に入った浮遊物等の小物体が、表面張力によりフロート上昇速度制御タンクの窓部の下方の外壁面に沿って存在する場合においても、庇部が窓部の下端から外方に向かって斜め下方に延びるので、洗浄水タンク内の水位の上昇に伴って上昇する小物体を、窓部の下方から窓部の高さまで上昇させないように庇部によって引っかけることができる。従って、フロート上昇速度制御タンクの窓部の下方の外壁面に沿う位置に存在する小物体が、フロート上昇速度制御タンクの窓部内へ浸入することを抑制することができる。
また、洗浄水タンク内の洗浄水の水位が庇部の高さにおいて徐々に上昇する場合において、庇部が窓部の下端から外方に向かって斜め下方に延びているので、水平な洗浄水の水面と斜め下方に延びる庇部の上面との間で比較的大きな表面張力が発生することを抑制することができる。従って、洗浄水が庇部の上面から窓部内に流入するタイミングが表面張力の影響により遅れる又はばらつくことを抑制することができ、フロート上昇速度制御タンク内の水位上昇のタイミングの遅延が生じる問題を低減することができ、フロートスイッチの作動タイミングを精度良く保つことができる。
【００１６】
本発明において、好ましくは、フロート上昇速度制御タンクは、フロート上昇速度制御タンクの底部において、フロートの軸部に取付けられる取付開口部を備え、取付開口部は、軸部に取付けられた状態で、軸部に対するフロート上昇速度制御タンクの傾きを抑制する傾き抑制部を備えている。
このように構成された本発明においては、フロート上昇速度制御タンクの取付開口部は、軸部に取付けられた状態で、軸部に対するフロート上昇速度制御タンクの傾きを抑制する傾き抑制部を備えているので、フロート上昇速度制御タンクの傾きをほぼ水平に保持することができ、フロート上昇速度制御タンク内の洗浄水の水位の傾きを抑制し、フロートスイッチの作動タイミングを精度良く保つことができる。
【００１７】
本発明において、好ましくは、フロート上昇速度制御タンクは、水抜き穴部をシール部によって閉止する閉止姿勢と、閉止姿勢からシール部を斜めに移動させることにより水抜き穴部を開放する開放姿勢とを有する開閉機構を備え、開閉機構は、シール部及びシール部に浮力を作用させる水抜き穴用フロート部を支持する支持腕と、支持腕と支持腕を取付ける支持腕取付部との間の隙間に向かって突出することにより、支持腕と支持腕取付部との間の接触を抑制させる凸部とを備えている。
このように構成された本発明においては、フロート上昇速度制御タンクの開閉機構は、閉止姿勢からシール部を斜めに移動させることにより水抜き穴部を比較的大きく開放する開放姿勢を有するので、水抜き穴部を比較的大きく開放することができ、フロート上昇速度制御タンク内に入った浮遊物等の小物体を水抜き穴部においてつまりにくくさせることができ、且つ比較的大流量の洗浄水と共に水抜き穴部から洗浄水タンク内に排出させることができる。従って、小物体がフロート上昇速度制御タンク内に入った場合においても、小物体によるフロートスイッチの動作不良及び水抜き穴部におけるつまりを抑制させることができ、フロート上昇速度制御タンクの信頼性を向上させることができる。
また、凸部が支持腕と支持腕取付部との間の接触を抑制させるので、支持腕と支持腕取付部とが接触した状態で固着し、開閉機構の動作不良が生じることを抑制することができる。
【発明の効果】
【００１８】
本発明の水洗大便器装置によれば、洗浄水の水位が上昇しているにも関わらずフロートが軸部上で移動を妨げられ、フロートスイッチが適切なタイミングで動作せず、給水の停止のタイミングが遅れることを抑制することができ、フロートスイッチを確実に動作させ、給水の停止を確実に行うことができる。
【図面の簡単な説明】
【００１９】
【図１】本発明の第１実施形態による水洗大便器装置において、ケーシング、便座及び便蓋を省略した状態で、水洗大便器装置の前後方向の中央断面を示す断面図である。
【図２】本発明の第１実施形態による水洗大便器装置において、ケーシング、洗浄水タンク装置の内側蓋体、便座及び便蓋を省略した状態で、水洗大便器装置を示す上面図である。
【図３】図１のIII-III線に沿って見た断面図である。
【図４】図３のIV-IV線に沿って見た断面図である。
【図５】本発明の第１実施形態による水洗大便器装置において、洗浄水タンク装置内の洗浄水の水位が低下され且つフロート上昇速度制御タンクから洗浄水が完全に排水されている状態で、図３のフロートスイッチ及びフロート上昇速度制御タンクの左右方向の断面を拡大して示す部分拡大断面図である。
【図６】本発明の第１実施形態による水洗大便器装置において、洗浄水タンク装置内の洗浄水の水位が満水水位にある状態で、図３のフロートスイッチ及びフロート上昇速度制御タンクの左右方向の断面を拡大して示す部分拡大断面図である。
【図７】本発明の第１実施形態による水洗大便器装置において、洗浄水タンク装置内の洗浄水の水位が低下され且つフロート上昇速度制御タンクから洗浄水が完全に排水されている状態で、図１に示すようなフロートスイッチ及びフロート上昇速度制御タンクの前後方向の断面を拡大して示す部分拡大断面図である。
【図８】本発明の第２実施形態による水洗大便器装置において、洗浄水タンク装置のフロート上昇速度制御タンクの高さ位置の水平断面に沿って見た断面図である。
【図９】本発明の第２実施形態による水洗大便器装置のフロート上昇速度制御タンクを斜め上方から見た斜視図である。
【図１０】本発明の第２実施形態による水洗大便器装置において、フロート上昇速度制御タンクのダンパー部が水抜き穴部を閉止している閉止姿勢を取っている状態を洗浄水タンクの中央近傍から見た正面図である。
【図１１】本発明の第２実施形態による水洗大便器装置のフロート上昇速度制御タンクを斜め下方から見た斜視図である。
【図１２】図８のXII-XII線に沿って見た断面図である。
【図１３】図８のXIII-XIII線に沿って見た断面図である。
【図１４】本発明の第２実施形態による水洗大便器装置のフロート上昇速度制御タンクをフロートスイッチを取り外した状態で上方から見た上面図である。
【図１５】本発明の第２実施形態による水洗大便器装置において、フロート上昇速度制御タンクのダンパー部が水抜き穴部を比較的大きく開放する開放姿勢を取っている状態を洗浄水タンクの中央近傍から見た正面図である。
【発明を実施するための形態】
【００２０】
つぎに、添付図面により、本発明の第１実施形態による水洗大便器装置について説明する。
まず、図１乃至図４により、本発明の第１実施形態による水洗大便器装置について説明する。
図１は本発明の第１実施形態による水洗大便器装置において、ケーシング、便座及び便蓋を省略した状態で、水洗大便器装置の前後方向の中央断面を示す断面図であり、図２は本発明の第１実施形態による水洗大便器装置において、ケーシング、洗浄水タンク装置の内側蓋体、便座及び便蓋を省略した状態で、水洗大便器装置を示す上面図であり、図３は図１のIII-III線に沿って見た断面図であり、図４は図３のIV-IV線に沿って見た断面図である。
【００２１】
図１乃至図４に示すように、符号１は、洗浄水によって洗浄し、汚物を排出する水洗大便器装置であり、この水洗大便器装置１は、陶器製の便器本体２を備え、この便器本体２には、便器本体２の上方に設けられる便蓋（図示せず）と、便蓋（図示せず）と便器本体２との間で便器本体２の上面に配置される便座（図示せず）と、ボウル部４と、このボウル部４の下部と連通する排水トラップ管路６がそれぞれ形成されている。なお、便器本体２は、陶器以外に、樹脂と陶器、又は樹脂のみで形成するようにしても良い。
便器本体２のボウル部４の上縁部には、内側にオーバーハングしたリム８が形成され、便器本体２のボウル部４の左側上方には、便器本体２の後方側の内部に形成される導水路９から供給される洗浄水を吐水する第１吐水口１０とが形成され、この第１吐水口１０から吐水された洗浄水は、旋回しながら下降してボウル部４を洗浄するようになっている。
【００２２】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の後方右側の上方位置には、便器本体２の後方側の内部に形成される導水路９から供給される洗浄水を吐水する第２吐水口１４が形成され、この第２吐水口１４から吐水される洗浄水が溜水部１２の溜水を上下方向に旋回させる旋回流を生じさせるようになっている。
【００２３】
便器本体２の後方側の上面には、洗浄ユニット１６が設けられている。
洗浄ユニット１６は、便器本体２の後方側の上面上に配置され且つ洗浄ユニット１６の基部を形成しているケーシングプレート１８と、ケーシングプレート１８の上面に設けられ、人体の局部を洗浄する洗浄水を噴出するノズル部２０を作動させる局部洗浄装置２２と、ケーシングプレート１８の上面に設けられ、ボウル部４へ供給する水を貯水する洗浄水タンク装置２４と、を備えている。
【００２４】
ケーシングプレート１８は、洗浄水タンク装置２４と、局部洗浄装置２２とを一緒にケーシングプレート１８上に互いに近傍に並んで配置して、一つのケーシングカバー（図示せず）内部に一体のユニットとして一緒に収納できる。
【００２５】
図１及び図３に示すように、洗浄水タンク装置２４は、自身の高さが比較的低く形成されているいわゆるローシルエットタンクであり、ボウル部４へ供給する水を貯水する。
洗浄水タンク装置２４は、水洗大便器装置１を洗浄する洗浄水を貯水する洗浄水タンクである洗浄水タンク２６と、自身の一部が洗浄水タンク２６内に設けられ且つ水道等の給水源からこの洗浄水タンク２６内に洗浄水を給水する給水装置２８と、洗浄水タンク２６内に設けられ且つ洗浄水タンク２６に貯えられた洗浄水について排水口３０を開放して便器本体２の導水路９に流出させる排水弁装置３２と、洗浄水タンク２６内の上部に設けられるフロートスイッチ３４と、フロートスイッチ３４の発信した給水停止信号を受信することにより給水装置２８による洗浄水の給水を停止させるように制御する制御装置３６と、停電時において、給水装置２８の給水動作を停止させることができる停電時用フロート部３７と、洗浄水タンク２６の内部且つフロートスイッチ３４の外側において、フロートスイッチ３４の少なくとも下部を外側から囲うように形成されたフロート上昇速度制御タンク３８と、を有している。
【００２６】
洗浄水タンク２６には、この洗浄水タンク２６の上方の開口を覆うような洗浄水タンク蓋４０が取付けられている。洗浄水タンク２６の底部には、便器本体２の導水路９と連通する排水口３０が形成され、洗浄水タンク２６内の洗浄水が排水口３０を介して便器本体２の導水路９へと供給されるようになっている。
【００２７】
給水装置２８は、従来の給水装置の構成と同様であるため、具体的な説明は省略するが、洗浄水タンク２６の外部の給水源から給水装置２８まで延びて洗浄水を所定の給水圧で給水する給水管４２と、この給水管４２の上端部に取り付けられ、給水管４２から給水される洗浄水の洗浄水タンク２６内への吐水と止水を切り替える給水バルブ４４と、給水バルブ４４の下流側において開口して、給水バルブ４４からの洗浄水を洗浄水タンク２６内に吐水する吐水口４６と、を備えている。給水装置２８は、所定の単位時間当たりの流量の洗浄水を吐水口４６から洗浄水タンク２６内に吐水するようになっている。例えば、給水装置２８による洗浄水の単位時間あたりの給水流量は、４Ｌ／ｍｉｎ〜１０Ｌ／ｍｉｎの範囲となっている。このとき、洗浄水タンク２６内の洗浄水の水位の上昇速度は、１ｍｍ／ｓ〜４ｍｍ／ｓの範囲の上昇速度、例えば２ｍｍ／ｓの上昇速度とされている。
【００２８】
排水弁装置３２の構成については、従来の排水弁装置の構成と同様であるため、具体的な説明は省略するが、この排水弁装置３２は、上下方向に延びるオーバーフロー管４８と、オーバーフロー管４８の下端部に固着された排水弁５４と、を備え、このオーバーフロー管４８内の下方部分は、排水口３０と連通しており、洗浄水タンク２６内の水位が万一満水水位ＷＬ０よりも上昇してオーバーフロー管４８の上端開口部４８ａに達したときに、このオーバーフロー管４８の上端開口部４８ａから流入した洗浄水は、排水口３０から便器本体２の導水路９へ排出されるようになっている。
使用者が壁等に取り付けられた操作スイッチ（図示せず）等を操作して、大洗浄又は小洗浄の所定の洗浄モードを実行させることにより、駆動装置５０が駆動して、玉鎖５２を介して、オーバーフロー管４８及び排水弁５４を引き上げると、排水口３０が所定時間開放され、所定時間経過後に排水弁５４が下降して排水口３０を閉止するまで、洗浄水タンク２６内の洗浄水が便器本体２の導水路９に一定量排出されるようになっている。
【００２９】
制御装置３６は、洗浄水タンク装置２４と、局部洗浄装置２２とに備えられている電子部品を電気的に制御できるようになっている。例えば、制御装置３６は、洗浄水タンク装置２４の給水装置２８の給水バルブ４４、フロートスイッチ３４、排水弁装置３２の駆動装置５０、局部洗浄装置２２、各種操作を行う操作の開始及び停止を操作する操作スイッチ（図示せず）等と、それぞれ電気的に接続され、各機器の操作に必要な指令信号を送受信できるようになっている。制御装置３６は、局部洗浄装置２２側に設けられているが、洗浄水タンク装置２４側の洗浄水タンク２６の外側等に設けられていてもよい。
制御装置３６は、洗浄水の排水が開始された直後から、給水装置２８の給水バルブ４４を開弁させ洗浄水の給水を開始させるように制御する。変形例として、制御装置３６は、洗浄水の排水が開始されてから所定時間を経過した場合、又は、洗浄水タンク内に別に設けられた下部フロートスイッチ（図示せず）が水位の低下を検知することにより発信した給水開始信号を制御装置３６が受信した場合に、給水装置２８の給水バルブ４４を開弁させ洗浄水の給水を開始させるように制御してもよい。
本実施形態においては、制御装置３６は、フロートスイッチ３４の発信した給水停止信号を受信した場合には、給水装置２８の給水バルブ４４を閉弁させ洗浄水の給水を停止させるように制御する。
また、制御装置３６は、使用者が壁等に取り付けられた操作スイッチ（図示せず）等を操作するとき、操作スイッチ等から発信された洗浄開始指令信号等を受信し、大洗浄又は小洗浄等の所定の洗浄モードを実行させるため、駆動装置５０を駆動させ、すなわち、駆動部を回転させ、玉鎖５２を引上げて、オーバーフロー管４８及び排水弁５４を引き上げるように制御する。
【００３０】
つぎに、図３乃至図７を参照して、本発明の第１実施形態によるフロートスイッチ３４の詳細について説明する。
図５は本発明の第１実施形態による水洗大便器装置において、洗浄水タンク装置内の洗浄水の水位が低下され且つフロート上昇速度制御タンクから洗浄水が完全に排水されている状態で、図３のフロートスイッチ及びフロート上昇速度制御タンクの左右方向の断面を拡大して示す部分拡大断面図であり、図６は本発明の第１実施形態による水洗大便器装置において、洗浄水タンク装置内の洗浄水の水位が満水水位にある状態で、図３のフロートスイッチ及びフロート上昇速度制御タンクの左右方向の断面を拡大して示す部分拡大断面図であり、図７は本発明の第１実施形態による水洗大便器装置において、洗浄水タンク装置内の洗浄水の水位が低下され且つフロート上昇速度制御タンクから洗浄水が完全に排水されている状態で、図１に示すようなフロートスイッチ及びフロート上昇速度制御タンクの前後方向の断面を拡大して示す部分拡大断面図である。
【００３１】
フロートスイッチ３４は、フロートスイッチ３４の棒状の軸部を形成するステム（軸部）５６と、洗浄水タンク２６内の水位の変動に応じて、水位に応じた浮力を受けながらステム５６に沿って上下動するフロート部（フロート）５８と、を備えている。
フロートスイッチ３４は、洗浄水タンク２６の上部且つその内側に取付けられている。さらに、フロートスイッチ３４は、フロート上昇速度制御タンク３８の内側に配置されるようになっている。
【００３２】
図５乃至図７に示すように、ステム５６は、洗浄水タンク２６の上部に取付けられた取付部６０から垂下するように鉛直方向下方に延びるように配置されている。取付部６０においてはネジ６２により固定されている。ステム５６の下端部よりわずかに上方の位置にはフロート止め６４が形成されている。このフロート止め６４によりフロート部５８が下降した場合に抜け落ちることを防ぎ且つ洗浄水の水位がフロート止め６４より下降している場合におけるフロート部５８の待機位置をフロート止め６４上に規定することができる。
ステム５６は、ステム５６内部にリードスイッチ６６を備えている。フロートスイッチ３４のリードスイッチ６６は、制御装置３６と電気的に接続されている。リードスイッチ６６は、ＯＮの状態となる場合に、給水停止信号を制御装置３６に対して発信（送信）する。また、リードスイッチ６６は、ＯＦＦの状態である場合には、給水停止信号を発信せずに待機している状態となる。
【００３３】
フロート部５８は、円筒形状に形成され、中心の空間にステム５６が通されて配置されている。フロート部５８は、その外縁の直径が１５ｍｍ〜２５ｍｍの範囲の直径を有する円筒形状に形成されている。フロート部５８は、水平断面が環状に形成されている。よって、フロート部５８は、ステム５６に沿って上下方向に自由に移動できるようになっている。フロート部５８は、ステム５６との間にわずかに隙間を形成している。フロート部５８は、自身の位置や姿勢によっては、自身の一部がステム５６と接触した状態となる。通常、フロート部５８がステム５６と接触した状態のまま移動する。
フロート部５８をステム５６に沿って相対的に移動させようとする場合には、フロート部５８は、ステム５６との間で静止摩擦力（又は動摩擦力）を受け、移動を妨げようとする力を受けることとなる。例えば、フロート部５８がステム５６に接した状態で静止している場合には、フロート部５８を、フロート部５８とステム５６との間の静止摩擦力の発生、気泡の付着等の移動を妨げようとする力に打ち勝つ力（例えば浮力、又は水流による衝撃力、水流による揺れ、水面の乱れ等の波力を生じさせるような力等）により移動させる必要がある。フロート部５８に、フロート部５８とステム５６との間の静止摩擦力（又は動摩擦力）以下の力を作用させる場合には、フロート部５８がステム５６に対して静止した状態のまま、又はフロート部５８がステム５６に対して動いている状態から静止した状態となる場合があり、フロートスイッチ３４の誤作動の原因となるため、このように移動されない状態を防ぐ必要がある。
【００３４】
フロート部５８は、下部の内側の位置にマグネット６８が埋め込まれるように配置されている。従って、フロート部５８の上下動に伴ってマグネット６８の位置も上下するようになっている。図５に示す状態においては、フロート部５８のマグネット６８はリードスイッチ６６から離れた状態である。図５に示す状態から、フロート部５８のマグネット６８が上昇してリードスイッチ６６に近づく場合には、マグネット６８から生じている磁界がリードスイッチ６６に強い磁界の影響を及ぼすことによりリードスイッチ６６をＯＮの状態にさせることができる。また、図６に示す状態においては、フロート部５８のマグネット６８はリードスイッチ６６に近づいている状態である。図６に示す状態からフロート部５８のマグネット６８が下降してリードスイッチ６６から遠ざかる場合には、マグネット６８の磁界がリードスイッチ６６において弱くなることによりリードスイッチ６６をＯＦＦの状態にさせることができる。
【００３５】
つぎに、図３乃至図７を参照して、本発明の第１実施形態による水洗大便器装置のフロート上昇速度制御タンク３８の詳細について説明する。
フロート上昇速度制御タンク３８は、洗浄水タンク装置２４の内部且つフロート部５８の外側において、フロート部５８の少なくとも下部を囲うように形成されている。
フロート上昇速度制御タンク３８は、直方体形状に形成されている。よって、フロート上昇速度制御タンク３８は、フロート部５８の外側において、直方体の各辺がフロート部５８の上部及び下部（底部を含む）の周囲を囲うように形成されている。フロート上昇速度制御タンク３８は、直方体形状のみならず、円筒形状あるいは他の形状に形成されていてもよい。
【００３６】
フロート上昇速度制御タンク３８は、フロート部５８の外側に形成され且つ縦方向に延びている縦壁７０と、縦壁７０の下端から内側に延び且つフロート部５８の下部（底部を含む）を囲うように形成された底部７２と、その底部７２に水抜き用の水抜き穴を形成する水抜き穴部７４と、フロート部５８の下端部分５９より上部側の領域の縦壁７０に形成された窓部７６と、を備えている。
【００３７】
縦壁７０は、直方体形状のフロート上昇速度制御タンク３８の４辺の平板状の壁面を形成している。底部７２は、直方体形状のフロート上昇速度制御タンク３８の底面を形成し、この底面は水抜き穴部７４に向かって下り傾斜している。
【００３８】
フロート上昇速度制御タンク３８の水抜き穴部７４は、フロート上昇速度制御タンク３８の底面においてフロート上昇速度制御タンク３８の内部と外部とを連通する開口部として形成されている。水抜き穴部７４は、フロート上昇速度制御タンク３８の底部７２から下方に延び且つ内側に水抜き用の流路を形成する第一筒状部７８と、第一筒状部７８の下端からさらに下方に延び且つ内側に水抜き用の流路を形成する第二筒状部８０と、洗浄水の水位の上昇により受ける浮力により、水抜き穴部７４内の流路を閉止する水抜き穴用フロート部８２と、を備えている。
【００３９】
第一筒状部７８及び第二筒状部８０は、フロート上昇速度制御タンク３８の底部中央から下方に延びるように、フロート上昇速度制御タンク３８の底部７２及び縦壁７０と一体に形成されている。なお、第一筒状部７８及び第二筒状部８０は、それぞれ、フロート上昇速度制御タンク３８の各部と別体に形成されていてもよい。
【００４０】
第一筒状部７８は、円筒形状に形成され、自身の内部にフロート上昇速度制御タンク３８内部と、その外部とを連通するような洗浄水の流路を形成している。
第一筒状部７８は、後述するスナップ固定部８６及び水抜き穴用フロート支持部９９を内側に配置することが可能な円筒形状の空間領域を自身の内側に形成している。
第一筒状部７８は、その内周壁の下端から内部方向に所定距離延びた後、長手方向に上方に向かって延びるスナップ固定支持部８４の先端に形成されたスナップ固定部８６を備え、スナップ固定部８６がステム５６の下部に形成された溝部８８に嵌合するようになっている。スナップ固定部８６がステム５６の下部の溝部８８と嵌合することにより、フロートスイッチ３４のステム５６の先端をフロート上昇速度制御タンク３８の底部近傍において固定し、フロートスイッチ３４を確実に固定且つ姿勢を安定させて正確に動作させることができる。
【００４１】
第二筒状部８０は、円筒形状に形成され、自身の内部にフロート上昇速度制御タンク３８内部と、その外部とを連通するような洗浄水の流路を形成している。第二筒状部８０及び第一筒状部７８は中心軸線が共通に配置され、且つ第二筒状部８０は第一筒状部７８よりも大きな半径を有している。よって、第一筒状部７８の内部に形成された第一筒状内流路９０と第二筒状部８０の内部に形成された第二筒状内流路９２との接合領域近傍においては環状の平坦部９４が形成されている。第二筒状部８０は、内側に水抜き穴用フロート部８２を上下方向に移動可能に配置する。
【００４２】
水抜き穴用フロート部８２は、円筒形状を有し、内側に円柱形状の内部空間９６が形成され且つこの内部空間９６が下方に開口され、ペットボトルのキャップのようなキャップ形状に形成されている。
さらに、水抜き穴用フロート部８２は、この上面から上方に延び且つ先端にスナップ（爪状部）が形成されているフロート用スナップ部９８を備えている。フロート用スナップ部９８は、第一筒状部７８の内側に突出する水抜き穴用フロート支持部９９と係合できるようになっており、水抜き穴用フロート部８２が最も下降した場合に、フロート用スナップ部９８と水抜き穴用フロート支持部９９とが係合して水抜き穴用フロート部８２が吊下ったような状態で支持される。なお、洗浄水タンク２６内の水位の上昇時には、水抜き穴用フロート部８２のフロート用スナップ部９８は水抜き穴用フロート支持部９９から外れて上昇し、水抜き穴用フロート部８２が上昇され、後述するように、水抜き穴用フロート部８２と、第一筒状部７８及び/又は第二筒状部８０との間に洗浄水が連通可能な流路を形成するようになっている。
【００４３】
水抜き穴用フロート部８２は、洗浄水の上昇に伴い、浮力を受けて上昇するようになっており、洗浄水の水位の上下に応じて上下移動するようになっている。水抜き穴用フロート部８２は、洗浄水の水位が上昇する場合には、キャップ形状のフロート部の内部空間９６に空気を貯留した状態で、水抜き穴用フロート部８２の外側の洗浄水の水位が上昇していくこととなるため、内部空間９６に貯留された空気により上向きの浮力を生じることとなる。水抜き穴用フロート部８２が上向きの浮力を受ける場合に、水抜き穴用フロート部８２の上面１００がシール部１０２と当接し、第二筒状部８０の内部且つ水抜き穴用フロート部８２の外側の第二筒状内流路９２と、第一筒状部７８の内部の第一筒状内流路９０との連通を遮断するように流路をシールする。
【００４４】
環状の平坦部９４は下向きの平面を形成し、この環状の平坦部９４には、環状の平坦部９４から下方に延びるシール部１０２が設けられている。水抜き穴用フロート部８２の上面１００が浮力によりシール部１０２に対して押し付けられることで、水抜き穴部７４内の第一筒状内流路９０と第二筒状内流路９２とが遮断され、すなわち水抜き穴部７４が閉止される。
【００４５】
シール部１０２は、円筒形状に形成され、その下端部において水抜き穴用フロート部８２の上面１００と当接することにより、水抜き穴を内部でシールするようになっている。
水抜き穴部７４は、シール部１０２と水抜き穴用フロート部８２とが当接されていない状態においては、フロート上昇速度制御タンク３８内部と、フロート上昇速度制御タンク３８外部とを接続する流路を形成している。水抜き穴部７４は、シール部１０２と水抜き穴用フロート部８２とが当接されている状態においては、第一筒状内流路９０と第二筒状内流路９２とを分離し、それぞれ独立した貯溜領域を形成するようになっている。
【００４６】
本実施形態における水洗大便器装置１のフロート上昇速度制御タンク３８の水抜き穴部７４は、第一筒状部７８と第二筒状部８０と水抜き穴用フロート部８２とを備えているが、変形例によれば、水抜き穴部７４は、水抜き穴用フロート部８２を省略し、フロート上昇速度制御タンク３８の底部７２において形成された小径の孔のみにより形成されていてもよい。このような水抜き穴部７４の孔は、直径１ｍｍ〜１５ｍｍの範囲の大きさの孔により形成されている。よって、洗浄水タンク２６内において洗浄水の水位が上昇し、洗浄水の水位が窓部７６に到達するまで、洗浄水が水抜き穴部７４の孔からフロート上昇速度制御タンク３８内に流入する水量を比較的少なく抑制することができる。
【００４７】
本実施形態においては、フロート上昇速度制御タンク３８の窓部７６は、フロート上昇速度制御タンク３８のほぼ全周にわたって形成されている。フロート上昇速度制御タンク３８の窓部７６は、フロート部５８の上方の縦壁７０内に形成されている。窓部７６は、４辺の縦壁７０においてほぼ全周、すなわちほぼ全体にわたって形成されている。縦壁７０には、ある窓部７６とその隣の窓部７６との間にわずかに下部の縦壁７０を支持する支持部１０４が形成されている。支持部１０４の大きさが比較的小さく形成され、全周のうちの窓部７６の大きさが比較的大きく形成されることにより、後述するように洗浄水の水位上昇が窓部７６の高さに到達した場合に、各窓部７６からフロート上昇速度制御タンク３８内に流入する洗浄水の流路断面積が比較的大きく形成され、各窓部７６からフロート上昇速度制御タンク３８内に流入する洗浄水の水量（単位時間当たりの水量）を比較的大きくすることができる。
なお、支持部１０４を省略し、フロート上昇速度制御タンク３８の下部の縦壁７０が、支持部１０４を介さずに洗浄水タンク装置２４の内壁等に直接固定される場合には、窓部７６が、フロート上昇速度制御タンク３８の外周の全周に形成されることができる。このように、窓部７６が縦壁７０の全周のうち１００％の領域にわたって形成される場合には、窓部７６の下方側の縦壁７０は、洗浄水タンク装置２４の内壁等に接続される支持部等により支持される。
【００４８】
フロート上昇速度制御タンク３８の窓部７６は、フロート上昇速度制御タンク３８のほぼ全周に同じ高さ位置に形成されている。縦壁７０に形成されている各窓部７６の開口部分の下端部１０６は、全周にわたってほぼ同じ高さ位置Ｈ１に形成されている。よって、後述するように洗浄水の水位が上昇しながら窓部７６の高さ位置Ｈ１に到達した場合に、洗浄水が各窓部７６の下端部１０６から同時にフロート上昇速度制御タンク３８内に一気に流入を開始することとなり、フロート上昇速度制御タンク３８内に流入する洗浄水の水量を比較的大きくすることができ、フロート上昇速度制御タンク３８内の洗浄水の水位の上昇速度を増大させ、フロート上昇速度制御タンク３８内の洗浄水の上昇しようとする水勢をその外部の上昇しようとする水勢よりも強くすることができる。
なお、窓部７６は、一部の窓部７６の下端部１０６が異なる高さ位置に形成されていたとしても、他の窓部７６の下端部１０６が概ね同じ高さ位置Ｈ１に形成されている場合も含む。
【００４９】
フロート上昇速度制御タンク３８の窓部７６は、その上端部１０７が満水水位ＷＬ０よりも上方に形成されている。よって、窓部７６は、満水水位ＷＬ０が、窓部７６上に位置するように形成されている。洗浄水タンク２６内の洗浄水の水位が満水水位ＷＬ０となる場合にはフロート上昇速度制御タンク３８内の洗浄水の水位も満水水位ＷＬ０となる。
【００５０】
各窓部７６の下端部１０６は、満水水位ＷＬ０の高さよりも低い位置に配置され、且つフロートが浮力を受けて上昇を開始するフロート上昇速度制御タンク３８内の洗浄水の水位の高さ位置Ｈ２よりも高い位置Ｈ１に配置されている。
窓部７６の下端部１０６は、フロート上昇速度制御タンク３８の底部７２からの高さ位置Ｈ３に形成されている。高さ位置Ｈ３は、例えば底部７２から１７ｍｍ〜３３ｍｍの範囲の高さ位置に設定されている。窓部７６から流入した洗浄水が所定の高さ位置Ｈ３から流れ落ち且つ底部７２において勢いよく跳ね返ることにより、フロート部５８を横方向又は上下方向に揺らすようにして静止摩擦力を解除させフロート部５８を上昇させやすくすることができる。フロート部５８を揺らすようにしてフロート部５８とステム５６との間の静止摩擦力を解除させることができれば、フロート部５８をフロート部５８とステム５６との間の動摩擦力（動摩擦力は静止摩擦力よりも小さくなっている）に抗して上昇させることができ、フロート部５８をスムーズに上昇させやすくすることができる。
【００５１】
上述のような各窓部７６の開口部分の下端部１０６の長さｌを合計した下端部合計長さＬ１は、フロート上昇速度制御タンク３８の水平断面の全周長さＬ２のうち１００％〜８０％の長さに形成されていることとなる。
【００５２】
フロート上昇速度制御タンク３８は、給水装置２８による洗浄水タンク２６内への洗浄水の給水により、洗浄水タンク２６内において洗浄水の水位が上昇し、洗浄水の水位が窓部７６に到達するとき、洗浄水タンク２６内の洗浄水がフロート部５８の下端部分５９より上部側に形成された窓部７６からフロート上昇速度制御タンク３８内に流入することにより、フロート上昇速度制御タンク３８内の洗浄水の水位の上昇速度（水面の上昇速度）が、洗浄水タンク２６内の洗浄水の水位の上昇速度（水面の上昇速度）よりも大きくなるように形成される。
【００５３】
例えば、フロート上昇速度制御タンク３８内の洗浄水の水位の上昇速度は、洗浄水が窓部７６から流入を開始してから洗浄水の水位が窓部７６の高さに到達するまで、７ｍｍ/ｓ〜１００ｍｍ/ｓの範囲とされている。また、例えば、フロート上昇速度制御タンク３８内の洗浄水の水位の上昇速度は、少なくとも洗浄水がフロート部５８の高さに到達する時点においては、７ｍｍ/ｓ〜１００ｍｍ/ｓの範囲とされている。
フロート上昇速度制御タンク３８内の洗浄水の水位の上昇速度が、比較的速い上昇速度であるので、フロート部５８が比較的速い速度の水位の上昇に合わせて増大された浮力を受けることになる。
【００５４】
フロート上昇速度制御タンク３８は、内部の水平断面の断面積の大きさを変えることにより、内部の洗浄水の水位の上昇速度を変更するように設定できる。フロート上昇速度制御タンク３８は、給水装置２８による洗浄水の単位時間あたりの給水流量に対して、フロート上昇速度制御タンク３８内部の洗浄水の水位の上昇速度を、所望の上昇速度に制御することができる。
例えば、フロート上昇速度制御タンク３８の内部の貯水可能領域Ｓ１のある高さ位置の水平断面の断面積は、洗浄水タンク２６の内部の貯水可能領域Ｓ２の同じ高さ位置における水平断面の断面積の３０分の１〜３分の１の範囲とされている。また、本実施形態の洗浄水タンク２６の水平断面の断面積は、例えば、３００００ｍｍ2〜５００００ｍｍ2の範囲、好ましくは４００００ｍｍ2〜５００００ｍｍ2の範囲に設定されている。
【００５５】
つぎに、図３、図４及び図７を参照して、本発明の第１実施形態による水洗大便器装置の洗浄動作（作用）を説明する。
なお、以下、本発明の第１実施形態による水洗大便器装置により実行される大洗浄モードと小洗浄モードの２種類の洗浄モードのうち、大洗浄モード時の玉鎖５２による排水弁装置３２の排水弁５４の引き上げ量が小洗浄モード時よりも大きくなり、洗浄水タンク装置２４の排水口３０を開放している時間が長い点と、大洗浄モード時の死水水位（図示せず）が小洗浄モード時よりも低くなる点以外については、大洗浄モードと小洗浄モードの基本動作は共通しているため、大洗浄モードについてのみ説明する。
【００５６】
図３に示すように、排水弁装置３２の排水開始前（洗浄を開始する前）の待機状態では、排水弁装置３２の排水弁５４が排水口３０を閉止しており、洗浄水タンク装置２４内の初期水位が満水水位ＷＬ０となっている。フロート部５８は上昇した状態であり、リードスイッチ６６がＯＮの状態となっており、給水装置２８の給水バルブ４４は閉止された状態となっている。
このとき、水抜き穴用フロート部８２は、内部空間９６に貯留された空気により上向きの浮力を受け、水抜き穴用フロート部８２の上面１００がシール部１０２と当接し、第二筒状内流路９２と、第一筒状内流路９０との連通を遮断するように流路をシールした状態となっている。従って、流路が遮断された状態において、フロート上昇速度制御タンク３８内の貯水領域と、洗浄水タンク２６内の貯水領域とは、それぞれ独立した貯水領域を形成している。
【００５７】
つぎに、使用者が操作部（図示せず）を操作する、又は所定の制御装置３６の判断により、洗浄動作が開始され、排水弁装置３２が洗浄水タンク装置２４の排水口３０を開放し、洗浄水タンク装置２４の排水弁装置３２による水洗大便器装置１の便器本体２への大洗浄モードの排水が開始され、洗浄水タンク２６内の水位が低下し始める。
洗浄水が、洗浄水タンク２６の排水口３０から便器本体２の導水路９へと排出され、洗浄水タンク２６内の水位が下降するとともに、便器洗浄開始の要求指令を受けた制御装置３６が給水装置２８の給水バルブ４４を開弁させ、一定の瞬間流量の洗浄水の吐水口４６から洗浄水タンク２６内への吐水が開始される。
【００５８】
洗浄水タンク２６内の水位が水抜き穴用フロート部８２の高さよりも低下するとき、水抜き穴用フロート部８２が下降する。すると、水抜き穴用フロート部８２の上面１００とシール部１０２との当接が解除され、第一筒状内流路９０と第二筒状内流路９２とが連通して、フロート上昇速度制御タンク３８内の洗浄水が水抜き穴部７４から洗浄水タンク２６内に流出を開始する。この後、また、フロート上昇速度制御タンク３８内の洗浄水が水抜き穴部７４から洗浄水タンク２６内に流出し、フロート上昇速度制御タンク３８内の水位が徐々に下降する。このとき、フロート上昇速度制御タンク３８内の洗浄水の水位は、洗浄水タンク２６内の水位よりも高い位置となっている。
【００５９】
フロート上昇速度制御タンク３８内の洗浄水の水位が徐々に下降するとき、フロート部５８の高さが水位に伴って徐々に下降する。フロート部５８の高さが下降すると、マグネット６８の位置が下降するため、リードスイッチ６６がＯＦＦの状態となる。
【００６０】
つぎに、洗浄水タンク２６内の水位が死水水位（図示せず）まで低下すると、排水弁装置３２が洗浄水タンク２６の排水口３０を閉止する。排水弁装置３２による水洗大便器装置１の便器本体２への大洗浄モードの排水は完了される。この間、フロート部５８は下降した状態であり、フロートスイッチ３４のリードスイッチ６６はＯＦＦの状態となっているため、給水バルブ４４が開放されて給水装置２８による洗浄水タンク２６への給水が継続して行われ、洗浄水タンク２６内の水位が死水水位（図示せず）から上昇する。給水装置２８による洗浄水タンク２６への給水は、一定の給水流量（一定の瞬間流量）となっているため、洗浄水タンク２６内の洗浄水の水位は、ほぼ一定の速度で水位上昇することになる。水位の上昇速度は、吐水口４６からの給水流量を洗浄水タンク２６の水平断面の断面積で除すことにより求められる。
【００６１】
さらに、給水装置２８からの給水が継続されて水位が上昇すると、水抜き穴用フロート部８２が上昇する。水抜き穴用フロート部８２の内部空間９６に貯留された空気により水抜き穴用フロート部８２には上向きの浮力が生じ、水抜き穴用フロート部８２の上面１００とシール部１０２とが当接することにより第二筒状内流路９２と、第一筒状内流路９０との連通が遮断される。
すると、洗浄水タンク２６内の洗浄水の水位が、フロート上昇速度制御タンク３８の下部の外周側まで上昇した場合においても、フロート上昇速度制御タンク３８の内部においては洗浄水が貯水されていない空の状態が維持される。すなわち、フロート上昇速度制御タンク３８の内部は、洗浄水が貯水されていない空の内部空間を形成しており、洗浄水が存在していないためフロート部５８が最も下降した状態となっている。
【００６２】
洗浄水タンク２６内の洗浄水の水位がさらに上昇し、窓部７６の下端部１０６に到達するとき、洗浄水タンク２６内の洗浄水がフロート上昇速度制御タンク３８のほぼ全周にわたって形成された窓部７６からほぼ同じタイミングでフロート上昇速度制御タンク３８の内部に流入する。給水装置２８から給水される一定の給水流量がフロート上昇速度制御タンク３８のほぼ全周にわたって形成された窓部７６から一気にフロート上昇速度制御タンク３８の内部に流入するので、フロート上昇速度制御タンク３８の内部における洗浄水の水位の上昇速度は、洗浄水タンク２６内の洗浄水の水位の上昇速度よりも大きくなる。このとき、フロート上昇速度制御タンク３８の内部の貯水可能領域Ｓ１の水平断面の断面積は、洗浄水タンク２６の水平断面の内部の貯水可能領域Ｓ２の断面積の３０分の１〜３分の１の範囲、好ましくは２５分の１〜２０の１の範囲とされているので、同じ一定の給水流量がフロート上昇速度制御タンク３８内に流入した場合においても、フロート上昇速度制御タンク３８の内部における洗浄水の水位の上昇速度は外部の上昇速度よりも速くなる。フロート上昇速度制御タンク３８内の洗浄水の水位の上昇速度は、洗浄水タンク２６内の洗浄水の水位の上昇速度の３倍〜２３倍の範囲、好ましくは１５倍〜２３倍の範囲とされている。
【００６３】
フロート上昇速度制御タンク３８内の洗浄水の水位の上昇速度が比較的速い上昇速度であるので、フロート部５８が比較的速い速度の水位の上昇に合わせて増大された浮力及び上昇方向への上昇エネルギーを受けることになる。フロートスイッチ３４のフロート部５８がステム５６との間において静止摩擦力の発生、気泡の付着等の移動を妨げようとする力を受ける（生じている）場合においても、フロート部５８がフロート部５８とステム５６との間の移動を妨げようとする力に打ち勝つような増大された浮力及び上昇エネルギー等を受けてステム５６に対して水位の上昇に対してタイムラグを生じることなく上昇する。
【００６４】
また、給水時に洗浄水の水位が窓部７６に到達するとき、洗浄水がフロート部５８の下端部分より上方側に形成された窓部７６から空のフロート上昇速度制御タンク３８内に落下する。このとき、フロート上昇速度制御タンク３８内に落下する洗浄水が空のフロート上昇速度制御タンク３８内で跳ね返り、さらに水面の乱れを生じさせ、水面を波立たせ、フロート部５８を上下方向及び前後左右方向に揺らすことにより、フロート部５８がフロート部５８とステム５６との間の静止摩擦力等の移動を妨げようとする力に打ち勝つような力を受け、フロート部５８とステム５６との間の静止摩擦力を解除させ、フロート部５８をステム５６に対してスムーズに上昇させる。
【００６５】
フロート部５８の上昇が開始された後、フロート上昇速度制御タンク３８内の洗浄水の水位の上昇に伴い、フロート部５８がフロート部５８とステム５６との間の動摩擦力等の移動を妨げようとする力に打ち勝つような力（例えば浮力等）を受け続け、フロート部５８をステム５６に対してスムーズに上昇させる。洗浄水タンク２６内の水位が満水水位ＷＬ０となり、フロート部５８が満水水位ＷＬ０の水位に応じた高さ位置まで上昇されると、フロート部５８の上方向への移動に伴ってマグネット６８の位置も上方向に移動され、リードスイッチ６６がＯＦＦの状態からＯＮの状態に変化する。フロートスイッチ３４のリードスイッチ６６が給水停止信号を制御装置３６に対して発信し、これを受信した制御装置３６が給水バルブ４４が閉弁させ、吐水口４６が止水される。これにより、洗浄水タンク２６内の洗浄水の水位は、所定の満水水位ＷＬ０に維持される。
洗浄水タンク２６内の洗浄水の水位が満水水位ＷＬ０になり、給水バルブ４４が閉弁すると、洗浄水タンク装置２４の一連の洗浄動作は完了し、待機状態に戻る。
【００６６】
上述した本発明の第１実施形態による水洗大便器装置１によれば、フロート上昇速度制御タンク３８は、給水時に洗浄水タンク２６内において洗浄水の水位が上昇し、洗浄水の水位が窓部７６に到達するとき、洗浄水タンク２６内の洗浄水がフロート部５８の下端部分５９より上部に形成された窓部７６からフロート上昇速度制御タンク３８内に流入するように形成されている。フロート上昇速度制御タンク３８内の洗浄水の水位の上昇速度は、洗浄水タンク２６内の洗浄水の水位の上昇速度よりも増大される。よって、フロート部５８が、増大された水位の上昇速度に対応して、増大された浮力を受ける。従って、フロートスイッチ３４のフロート部５８がステム５６との間において静止摩擦力の発生、気泡の付着等の移動を妨げようとする力を受ける場合においても、フロート部５８がフロート部５８とステム５６との間の移動を妨げようとする力に打ち勝つような増大された浮力を受けてステム５６に対して上昇しやすくなる。よって、洗浄水の水位が上昇しているにも関わらずフロート部５８がステム５６上で移動を妨げられ、フロートスイッチ３４が適切なタイミングで動作せず、給水の停止のタイミングが遅れることを抑制することができる。
また、給水時に洗浄水の水位が窓部７６に到達するとき、洗浄水がフロート部５８の上部側に形成された窓部７６からフロート上昇速度制御タンク３８内に落下するため、水面の乱れを生じさせ、フロート部５８を揺らすことにより、フロート部５８がフロート部５８とステム５６との間の静止摩擦力に打ち勝つような力を受け、フロート部５８とステム５６との間の静止摩擦力を解除させやすくして、フロート部５８をステム５６に対して上昇させやすくすることができる。よって、洗浄水の水位が上昇しているにも関わらずフロート部５８がステム５６上で移動を妨げられ、フロートスイッチ３４が適切なタイミングで動作せず、給水の停止のタイミングが遅れることを抑制することができる。
従って、フロートスイッチ３４を確実に動作させ、給水の停止を確実に行うことができる。
【００６７】
さらに、本実施形態による水洗大便器装置１によれば、給水時に洗浄水タンク２６内において洗浄水の水位が上昇し、洗浄水の水位が窓部７６に到達するとき、洗浄水タンク２６内の洗浄水が、フロート上昇速度制御タンク３８のほぼ同じ高さ位置に形成されている窓部７６から、フロート上昇速度制御タンク３８内にほぼ同じタイミングで一気に流入が開始される。よって、フロート上昇速度制御タンク３８内の洗浄水の水位の上昇速度は、洗浄水タンク２６内の洗浄水の水位の上昇速度よりもより増大される。従って、フロート部５８が、より増大された水位の上昇速度に対応して、より増大された浮力を受けることができる。
【００６８】
また、本実施形態による水洗大便器装置１によれば、給水時に洗浄水タンク２６内において洗浄水の水位が上昇し、洗浄水の水位が窓部７６に到達するとき、洗浄水タンク２６内の洗浄水が、フロート上昇速度制御タンク３８のほぼ全周に形成されている窓部７６から、フロート上昇速度制御タンク３８内にほぼ全周から一気に流入する。よって、フロート上昇速度制御タンク３８内の洗浄水の水位の上昇速度は、洗浄水タンク２６内の洗浄水の水位の上昇速度よりもより増大される。従って、フロート部５８が、より増大された水位の上昇速度に対応して、より増大された浮力を受けることができる。
【００６９】
また、本実施形態による水洗大便器装置１によれば、水抜き穴用フロート部８２が、洗浄水の水位の上昇により受ける浮力により、水抜き用の水抜き穴部７４を閉止するので、洗浄水タンク２６内において洗浄水の水位が上昇し、洗浄水の水位が窓部７６に到達するまで、洗浄水が水抜き用の水抜き穴部７４からフロート上昇速度制御タンク３８内に流入することを防ぐことができる。従って、洗浄水を窓部７６から空の状態のフロート上昇速度制御タンク３８内に一気に流入させることができ、フロート上昇速度制御タンク３８内の洗浄水の水位の上昇速度は、洗浄水タンク２６内の洗浄水の水位の上昇速度よりも増大されることができ、フロート部５８が、増大された水位の上昇速度に対応して、増大された浮力を受けることができる。
また、給水時に洗浄水の水位が窓部７６に到達するとき、洗浄水がフロート部５８の下端部分５９より上部側に形成された窓部７６から空の状態のフロート上昇速度制御タンク３８内に落下するため、水面の乱れを生じさせ、フロート部５８を揺らすことにより、フロート部５８がフロート部５８とステム５６との間の静止摩擦力に打ち勝つような力を受け、フロート部５８とステム５６との間の静止摩擦力を解除させやすくして、フロート部５８をステム５６に対して上昇させやすくすることができる。
【００７０】
また、本実施形態による水洗大便器装置１によれば、フロート上昇速度制御タンク３８内の洗浄水の水位の上昇速度は、７ｍｍ/ｓ〜１００ｍｍ/ｓの範囲の速度とされている。従って、フロートが、７ｍｍ/ｓ〜１００ｍｍ/ｓの範囲の水位の上昇速度に対応して、より増大された浮力を受けることができる。
【００７１】
また、本実施形態による水洗大便器装置１によれば、水抜き穴部７４が、直径１ｍｍ〜１５ｍｍの範囲の大きさの孔により形成されているので、洗浄水タンク２６内の洗浄水の排水に伴う洗浄水の水位の下降中に、フロート上昇速度制御タンク３８内の洗浄水が水抜き穴部７４の孔から洗浄水タンク２６内に全部又は概ね全部流出されるようになっており、さらに、洗浄水タンク２６の給水時に、フロート上昇速度制御タンク３８の周りの洗浄水の水位が窓部７６に到達するまでに、水抜き穴部７４の孔からフロート上昇速度制御タンク３８内に流入する洗浄水の水量がフロート部５８の下端部分５９よりも低い位置の比較的少ない水量に抑制される。従って、洗浄水を窓部７６から比較的低い水位の状態のフロート上昇速度制御タンク３８内に一気に流入させることができ、フロート上昇速度制御タンク３８内の洗浄水の水位の上昇速度は、洗浄水タンク２６内の洗浄水の水位の上昇速度よりも増大されることができ、フロート部５８が、増大された水位の上昇速度に対応して、増大された浮力を受けることができる。
また、給水時に洗浄水の水位が窓部７６に到達するとき、洗浄水がフロート部５８の下端部分５９より上部側に形成された窓部７６から比較的低い水位の状態のフロート上昇速度制御タンク３８内に落下するため、水面の乱れを生じさせ、フロート部５８を揺らすことにより、フロート部５８がフロート部５８とステム５６との間の静止摩擦力に打ち勝つような力を受け、フロート部５８とステム５６との間の静止摩擦力を解除させやすくして、フロート部５８をステム５６に対して上昇させやすくすることができる。
【００７２】
次に、図８乃至図１５を参照して、本発明の第２実施形態による水洗大便器装置１０１について説明する。本実施形態の水洗大便器装置は、フロート上昇速度制御タンク１３８が上述した第１実施形態におけるフロート上昇速度制御タンク３８とは異なる。ここでは、本発明の第２実施形態の第１実施形態とは異なる点を主に説明し、同様な部分については図面に同じ参照符号を付して説明を省略する。
【００７３】
図８は本発明の第２実施形態による水洗大便器装置において、洗浄水タンク装置のフロート上昇速度制御タンクの高さ位置の水平断面に沿って見た断面図であり、図９は本発明の第２実施形態による水洗大便器装置のフロート上昇速度制御タンクを斜め上方から見た斜視図であり、図１０は本発明の第２実施形態による水洗大便器装置において、フロート上昇速度制御タンクのダンパー部が水抜き穴部を閉止している閉止姿勢を取っている状態を洗浄水タンクの中央近傍から見た正面図であり、図１１は本発明の第２実施形態による水洗大便器装置のフロート上昇速度制御タンクを斜め下方から見た斜視図であり、図１２は図８のXII-XII線に沿って見た断面図であり、図１３は図８のXIII-XIII線に沿って見た断面図であり、図１４は本発明の第２実施形態による水洗大便器装置のフロート上昇速度制御タンクをフロートスイッチを取り外した状態で上方から見た上面図であり、図１５は本発明の第２実施形態による水洗大便器装置において、フロート上昇速度制御タンクのダンパー部が水抜き穴部を比較的大きく開放する開放姿勢を取っている状態を洗浄水タンクの中央近傍から見た正面図である。
【００７４】
図８乃至図１３に示すように、本発明の第２実施形態による水洗大便器装置１０１のフロート上昇速度制御タンク１３８の詳細について説明する。
フロート上昇速度制御タンク１３８は、洗浄水タンク装置２４の内部且つフロート部５８の外側において、フロート部５８の少なくとも下部を囲うように形成されている。
フロート上昇速度制御タンク１３８は、直方体形状に形成されている。よって、フロート上昇速度制御タンク１３８は、フロート部５８の外側において、直方体の各辺がフロート部５８の上部及び下部（底部を含む）の周囲を囲うように形成されている。フロート上昇速度制御タンク１３８は、直方体形状のみならず、円筒形状あるいは他の形状に形成されていてもよい。
【００７５】
フロート上昇速度制御タンク１３８は、フロート部５８の外側に形成され且つ縦方向に延びている縦壁１７０と、縦壁１７０の下端から内側に延び且つフロート部５８の下部（底部を含む）を囲うように形成された底部１７２と、その底部１７２に水抜き用の水抜き穴を形成する水抜き穴部１７４と、フロート部５８の下端部分５９より上部側且つ縦壁１７０の頂部より下方側のいずれかの領域の縦壁１７０上に形成された窓部１７６と、を備えている。
【００７６】
縦壁１７０は、直方体形状のフロート上昇速度制御タンク１３８の４辺の平板状の壁面を形成している。底部１７２は、直方体形状のフロート上昇速度制御タンク１３８の底面を形成し、ほぼ平坦な平坦面として形成されている。底部１７２が平坦面として形成されていても、後述するようにダンパー部側シール部１７５ａが水抜き穴部１７４を比較的大きな開口として開放できるので、水抜き穴部１７４から流出する洗浄水の水流が比較的強く形成され、小物体を底部１７２から水抜き穴部１７４を通して確実に排出することができる。なお、底部１７２は、水抜き穴部１７４に向かって下り傾斜を有するように形成されていてもよい。
縦壁１７０は、洗浄水タンク２６の中央側寄りの中央側壁１７０ａと、洗浄水タンク２６の内側壁２６ａと平行な向きに延び且つ洗浄水タンク２６の内側壁２６ａ寄りの位置に配置される壁側縦壁１７０ｂと、洗浄水タンク２６の内側壁２６ａと直交する向きに延び且つ洗浄水タンク２６の左右方向の側方側に向かう側壁１７０ｃとを備えている。
【００７７】
図８に示すように、壁側縦壁１７０ｂは、洗浄水タンク２６の内側壁２６ａと概ね平行に延びている。縦壁１７０の壁側縦壁１７０ｂと、洗浄水タンク２６の内側壁２６ａとの間には隙間ｓが形成されている。本実施形態においては、洗浄水タンク２６の内側壁２６ａは、洗浄水タンク２６の前方側の内側壁２６ａであるが、洗浄水タンク２６の内側壁２６ａは、洗浄水タンク２６の後方側の内側壁又は側方側の内側壁であってもよい。すなわち、フロート上昇速度制御タンク１３８は、洗浄水タンク２６内の前方側、後方側又は側方側のいずれの内側壁寄りにも配置することができる。このいずれの配置方法においても、窓部１７６が、洗浄水タンク２６の中央側寄りの中央側壁１７０ａに形成されるようになっている。また、窓部１７６は、内側壁２６ａ近傍に位置する小物体を流入させにくくするように、壁側縦壁１７０ｂ及び側壁１７０ｃには形成されず、中央側壁１７０ａにのみ形成されている。
【００７８】
中央側壁１７０ａは、縦壁１７０のうちの最も中央側寄りに配置されている。中央側壁１７０ａは、洗浄水タンク２６の内側壁２６ａと反対側の壁を形成している。洗浄水タンク２６の内側壁２６ａ寄りの近位側の位置に配置される壁側縦壁１７０ｂに対し、中央側壁１７０ａは、内側壁２６ａから遠位側の位置に配置される。
中央側壁１７０ａは、図８に示すような水平断面において、洗浄水タンク２６の内側壁２６ａと連続した壁面を形成していないので、洗浄水タンク２６の内側壁２６ａに表面張力によって引き寄せられる小物体、例えばごみ等の浮遊物及び異物、が、水面上において洗浄水タンク２６の内側壁２６ａから中央側壁１７０ａに連続した壁面を伝わることにより移動しないように形成されている。このように、フロート上昇速度制御タンク１３８は、洗浄水タンク２６中において浮遊する浮遊物が洗浄水タンク２６の内側壁２６ａから中央側壁１７０ａの窓部１７６内に流入しにくいように形成されている。
【００７９】
底部１７２は、ほぼ平坦な四角形状の底面を形成している。底部１７２のほぼ中心には、フロートスイッチ３４のステム５６の先端部５６ａに取付けられるステム取付部１７３（取付開口部）が形成されている。
ステム取付部１７３は、ステム５６の先端部５６ａの直径Ｄ１よりもわずかに小さい直径Ｄ２の円形開口部１７３ａを形成している。また、ステム取付部１７３は、ステム取付部１７３の高さ位置に対応する高さ位置におけるステム５６の軸の直径Ｄ３よりもわずかに大きい直径Ｄ２を有する円形開口部１７３ａを形成している。
【００８０】
ステム取付部１７３は、この円形開口部１７３ａから放射状に延びる切れ込み部１７３ｂを形成している。よって、円形開口部１７３ａの直径Ｄ２よりも大きな直径Ｄ１を有するステム５６の先端部５６ａを、円形開口部１７３ａを通して挿入することができ、且つステム５６の先端部５６ａを円形開口部１７３ａを通して挿入した後に、ステム５６の先端部５６ａが円形開口部１７３ａから抜けにくくすることができる。このように、ステム５６の先端部５６ａを円形開口部１７３ａを通して挿入した状態で、フロートスイッチ３４によりフロート上昇速度制御タンク１３８を支持することができ、フロート上昇速度制御タンク１３８がフロートスイッチ３４のステム５６に取付けられた状態となる。
【００８１】
さらに、ステム取付部１７３は、円形開口部１７３ａの外周のうち３カ所に均等間隔に配置された返し部１７３ｃ（傾き抑制部）を形成している。この返し部１７３ｃは、フロート上昇速度制御タンク１３８の底部１７２の下面から鉛直方向下方側に向かって突出する突起を形成している。返し部１７３ｃは、円形開口部１７３ａの内周に沿った弧形状を形成している。返し部１７３ｃの先端面（フロート上昇速度制御タンク１３８が取付けられている状態における返し部１７３ｃの下端面）は、平面に形成されている。
３つの返し部１７３ｃの大きさ及び突起の長さ（高さ）及び横幅はすべて同一に形成され且つ円周上において均等に配置されている。よって、ステム５６の先端部５６ａを円形開口部１７３ａを通して挿入した状態で、ステム５６の先端部５６ａの縁部５６ｂと返し部１７３ｃとが接し、ステム５６の先端部５６ａの縁部５６ｂ上に返し部１７３ｃ、すなわちフロート上昇速度制御タンク１３８が載るように配置されることとなる。３つの返し部１７３ｃが円形開口部１７３ａの中心に対して対称となるように配置されている（例えば３つの返し部１７３ｃの間の角度がそれぞれ１２０度となるように配置されている）ため、ステム５６の先端部５６ａの縁部５６ｂ上に載る返し部１７３ｃが比較的安定し、上下方向のみならず、前後左右方向（周方向）についても、フロート上昇速度制御タンク１３８の傾き及びがたつきを抑制させることができる。ステム５６に対してフロート上昇速度制御タンク１３８の傾きをほぼ水平に保持することができるので、フロートに対してフロート上昇速度制御タンク１３８内の洗浄水の水位の傾きを抑制し、フロートスイッチ３４の作動タイミングを精度良く保つことができる。
なお、返し部１７３ｃの配置及び/又は数は変更することができる。返し部１７３ｃは、例えば、円形開口部１７３ａの内周のうち６カ所に均等間隔に配置されてもよい。また、返し部１７３ｃは、２カ所、又は４カ所に形成されることにより、フロート上昇速度制御タンク１３８をステム５６の先端部５６ａの縁部５６ｂ上に安定して配置できるようにしてもよい。
【００８２】
ステム５６の先端部５６ａは、返し部１７３ｃと合致することにより、フロートスイッチ３４と、フロート上昇速度制御タンク１３８とが安定して組み合わされ、フロートスイッチ３４のステム５６の先端部５６ａをフロート上昇速度制御タンク１３８の底部１７２近傍において固定し、フロートスイッチ３４とフロート上昇速度制御タンク１３８とを確実に固定且つ姿勢を安定させて配置することができ、フロートスイッチ３４を正確に動作させることができる。
【００８３】
フロート上昇速度制御タンク１３８の水抜き穴部１７４は、フロート上昇速度制御タンク１３８の底部１７２においてフロート上昇速度制御タンク１３８の内部と外部とを連通する開口部として形成されている。水抜き穴部１７４は、四角形形状に形成された比較的大きな開口部を形成している。このような比較的大きな開口部は、フロート上昇速度制御タンク１３８内に流入した異物、ゴミ等の浮遊物（小物体）を排出できる大きさに形成されている。
【００８４】
フロート上昇速度制御タンク１３８の水抜き穴部１７４は、水抜き穴部１７４の下流端に水抜き穴部側シール部（水抜き穴弁体部）１７７を備えている。水抜き穴部側シール部１７７は、水抜き穴部１７４の四角形状の開口部の内周上に形成され且つフロート上昇速度制御タンク１３８の底部１７２から下方にわずかに突出するように形成されている。水抜き穴部側シール部１７７は、水抜き穴部１７４の開口部よりわずかに大きな大きさのシール部分を形成している。水抜き穴部側シール部１７７は、後述するダンパー部側シール部１７５ａと合致することにより水抜き穴部１７４の開口部を水密にシールするようになっている。
【００８５】
また、フロート上昇速度制御タンク１３８の水抜き穴部１７４は、水抜き穴部１７４を開閉する開閉機構を形成するダンパー部１７５（開閉機構）を備えている。ダンパー部１７５は、水抜き穴部１７４の開口を開閉する開閉機構を形成している。
ダンパー部１７５は、水抜き穴部１７４内の開口の流路を開閉するダンパー部側シール部１７５ａ（シール部）と、ダンパー部側シール部１７５ａと接続され、且つ洗浄水の水位の上昇により受ける浮力により、ダンパー部側シール部１７５ａを水抜き穴部１７４の水抜き穴部側シール部１７７に押し付けるようにして流路を閉止させるように形成されている水抜き穴用フロート部１７５ｂと、ダンパー部側シール部１７５ａと水抜き穴用フロート部１７５ｂとを支点部１７５ｃを中心に回動させる支持腕１７５ｄと、フロート上昇速度制御タンク１３８の下面から下方に突出するダンパー取付部１７９（支持腕取付部）と、を備えている。
このようなダンパー部１７５は、水抜き穴部１７４をダンパー部側シール部１７５ａ及び水抜き穴部側シール部１７７によって閉止する閉止姿勢と、この閉止姿勢からダンパー部側シール部１７５ａを斜めに移動させることにより水抜き穴部１７４を比較的大きく開放する開放姿勢とを有する。
【００８６】
ダンパー部側シール部１７５ａは、ダンパー部１７５の上面に設けられた弁体を形成している。ダンパー部側シール部１７５ａは、水抜き穴部１７４内の水抜き穴部側シール部１７７の大きさに合致するような大きさ及び形状に形成され、本実施形態においてはほぼ四角形状の弁体を形成している。ダンパー部側シール部１７５ａは、水抜き穴用フロート部１７５ｂの頂部に形成されていることから、水抜き穴用フロート部１７５ｂと連動して上昇する又は下降する。よって、ダンパー部側シール部１７５ａは、水抜き穴用フロート部１７５ｂが受ける浮力を共に受けて、水抜き穴部１７４の水抜き穴部側シール部１７７に押圧され且つ水抜き穴部１７４をシールする。また、ダンパー部側シール部１７５ａは、水抜き穴用フロート部１７５ｂが浮力を受けていない又は浮力が比較的小さい場合には、水抜き穴部１７４から離間し、水抜き穴部１７４を比較的大きな開口として開放するようになっている。
【００８７】
水抜き穴部１７４は、ダンパー部側シール部１７５ａと水抜き穴部側シール部１７７とが当接されていない状態においては、フロート上昇速度制御タンク１３８内部と、フロート上昇速度制御タンク１３８外部とを接続する流路を形成している。水抜き穴部１７４は、ダンパー部側シール部１７５ａと水抜き穴部側シール部１７７とが当接されている状態においては、フロート上昇速度制御タンク１３８内部と、フロート上昇速度制御タンク１３８外部とを分離し、それぞれ独立した貯溜領域を形成するようになっている。
【００８８】
ダンパー部側シール部１７５ａは、ダンパー部１７５の上面においてほぼ平坦な平面として形成されている。水抜き穴用フロート部１７５ｂが下降し、ダンパー部側シール部１７５ａが水抜き穴部側シール部１７７から離間して水抜き穴部１７４を開放している状態において、フロート上昇速度制御タンク１３８内の洗浄水は、水抜き穴部１７４から下方に流出され、ダンパー部１７５の上面のダンパー部側シール部１７５ａ上を流れて洗浄水タンク２６内に流出する。このように、洗浄水がほぼ平坦面として形成されたダンパー部側シール部１７５ａ上を流れて流出できるようになっている。
【００８９】
水抜き穴用フロート部１７５ｂは、フロート上昇速度制御タンク１３８の下面に取付けられた状態で下向きに開口する箱型の形状を形成している。水抜き穴用フロート部１７５ｂは、洗浄水タンク２６内の水位の上昇時において、水抜き穴用フロート部１７５ｂ内の空間に空気が溜まった状態となり、洗浄水の水位がさらに上昇することにより、溜まっている空気により上向きの浮力を生じるようになっている。水抜き穴用フロート部１７５ｂが上向きの浮力を受けて上昇する（又は停止している状態において上方向きの力を受ける）ことにより、ダンパー部側シール部１７５ａが水抜き穴部１７４の水抜き穴部側シール部１７７に押圧される。ダンパー部側シール部１７５ａが水抜き穴部側シール部１７７に押圧された状態が、フロート上昇速度制御タンク１３８の内部空間とフロート上昇速度制御タンク１３８外部の洗浄水タンク２６内の空間との連通を遮断するように流路をシールし、水抜き穴部１７４を水密に閉止した状態を生じさせる。このとき、水抜き穴用フロート部１７５ｂが支点部１７５ｃを中心に支持腕１７５ｄを介して上昇するように回動される。
【００９０】
支持腕１７５ｄは、水抜き穴用フロート部１７５ｂ及びダンパー部側シール部１７５ａと、支点部１７５ｃとを接続するように形成された棒状の部材である。支持腕１７５ｄは、水抜き穴用フロート部１７５ｂの両端から２本のアームが互いに並行に延びるように形成されている。支持腕１７５ｄは、支点部１７５ｃを中心として水抜き穴用フロート部１７５ｂ及びダンパー部側シール部１７５ａを上下方向の一定角度内で回動できるように構成されている。
支持腕１７５ｄの基部に設けられた支点部１７５ｃは、フロート上昇速度制御タンク１３８の下面から下方に突出するダンパー取付部１７９に取付けられ、ダンパー取付部１７９に対して自由に回転できるようになっている。
【００９１】
図１２に示すように、ダンパー部１７５は、さらに、支持腕１７５ｄとダンパー取付部１７９との間の隙間空間に向かって突出する凸部１７９ａを備えている。凸部１７９ａの先端は丸められてほぼ球状に形成されている。すなわち、凸部１７９ａは微小な半球形状に形成されている。凸部１７９ａは、支持腕１７５ｄとダンパー取付部１７９との間の接触を点接触に抑制（他の言葉によれば制限）させる機能を有する。すなわち、凸部１７９ａは、支持腕１７５ｄとダンパー取付部１７９とが接触する場合においても、比較的広い領域で面接触させることなく点接触までの接触にとどめる機能を有する。この点接触の用語は、完全な一点に限られず、ある一点領域部分における接触を含む、すなわち微小な広がりの領域の部分が同時に接触することも含む。この微小な凸部１７９ａが形成されていることにより、支持腕１７５ｄとダンパー取付部１７９との間には常に微小な隙間が維持されることとなり、支持腕１７５ｄとダンパー取付部１７９とが密着されることを防ぐことができ、支持腕１７５ｄとダンパー取付部１７９との接触を抑制させ、支持腕１７５ｄとダンパー取付部１７９とが水中のさまざまな成分等により固着することを防ぐことができる。よって、支持腕１７５ｄとダンパー取付部１７９とが固着することによりダンパー部１７５の動作不良を生じさせることを防ぐことができる。
【００９２】
本実施形態においては、フロート上昇速度制御タンク１３８の窓部１７６は、箱型の４辺の縦壁１７０のうち洗浄水タンク２６中央側寄りの１辺の中央側壁１７０ａに形成されている。窓部１７６は、フロート上昇速度制御タンク１３８において洗浄水タンク２６の内側向き、例えば洗浄水タンク２６を前後に前部と後部とに二分するような洗浄水タンク２６の横断線Ｃ１に向かう内側向き、に開口されており、さらに好ましくは洗浄水タンク２６の中央領域向きに開口されている。窓部１７６は、洗浄水タンク２６中央側寄りの中央側壁１７０ａの一面において四角形状の比較的大きな開口部を形成している。窓部１７６は、箱型を形成する４つの壁面のうち３面を形成する壁側縦壁１７０ｂ及び側壁１７０ｃにおいては形成されていない。従って、フロート上昇速度制御タンク１３８は、洗浄水タンク２６の内側向きに開口する窓部１７６のみを形成するようになっている。
【００９３】
フロート上昇速度制御タンク１３８の中央側壁１７０ａは、洗浄水タンク２６の内側壁２６ａから最も離れた位置にある壁面であるので、内側壁２６ａに寄りやすい小物体等が中央側壁１７０ａの窓部１７６に流れ込みにくくすることができる。
【００９４】
また、フロート上昇速度制御タンク１３８の中央側壁１７０ａを含む縦壁１７０と洗浄水タンク２６の内側壁２６ａとは連続した壁面を形成していないので、洗浄水タンク２６の内側壁２６ａに表面張力によって引き寄せられる小物体、例えば浮遊系のごみ等の異物等が洗浄水タンク２６の内側壁２６ａから中央側壁１７０ａに連続した壁面上を伝わるように移動しないように形成されている。
【００９５】
窓部１７６は、洗浄水タンク２６中央側寄りの中央側壁１７０ａに設けられる。ここで、中央側壁１７０ａは、洗浄水タンク２６の中央近傍領域に配置されている給水装置２８の吐水口４６の比較的近くに位置し、且つ吐水口４６から吐水された洗浄水が中央近傍から洗浄水タンク２６の内側壁２６ａに向けて拡がるように流れる流れの途中の位置に位置している。従って、洗浄水タンク２６内に流入する小物体が中央側壁１７０ａよりもさらに外側の洗浄水タンク２６の内側壁２６ａに向かって押し流されやすくなっている。
洗浄水タンク２６内に流入した小物体は、中央側壁１７０ａの近傍に留まるよりも中央側壁１７０ａよりもさらに外側の洗浄水タンク２６の内側壁２６ａに向かって流され且つ洗浄水タンク２６の内側壁２６ａに表面張力によって引き寄せられる。このように、洗浄水タンク２６の中央側寄りに位置する中央側壁１７０ａの近傍には、小物体が留まりにくくなっている。また、仮に、吐水口４６から吐水された洗浄水中に小物体が含まれていたとしても、給水時において、洗浄水タンク２６内の水位が窓部１７６よりも低い水位となっている状態のうちに、小物体は中央側壁１７０ａよりもさらに外側の洗浄水タンク２６の内側壁２６ａに向かって流されやすく、且つ窓部１７６からフロート上昇速度制御タンク１３８内部に流入しにくくなっている。
【００９６】
また、洗浄水タンク装置２４上に使用者が手洗いをすることができる手洗い器装置を取付けて使用する場合においては、手洗い器装置からの排水が洗浄水タンク２６内の中央近傍領域に流入されることとなる。このとき、手洗い器装置からの排水中に小物体が含まれる場合においても、流入した小物体が中央側壁１７０ａよりもさらに外側の洗浄水タンク２６の内側壁２６ａに向かって押し流されやすくなっている。
【００９７】
窓部１７６は、窓部１７６の開口の大きさが比較的大きく形成されることにより、後述するように洗浄水の水位上昇が窓部１７６の高さに到達した場合に、窓部１７６からフロート上昇速度制御タンク１３８内に流入する洗浄水の流路断面積が比較的大きく形成され、窓部１７６からフロート上昇速度制御タンク１３８内に流入する洗浄水の水量（単位時間当たりの水量）を比較的大きくすることができる。
【００９８】
フロート上昇速度制御タンク１３８の窓部１７６は、フロート部５８の上方側の縦壁１７０内に形成されている。窓部１７６は、中央側壁１７０ａの左右方向のほぼ全体にわたるような比較的大きな大きさの開口部分を形成している。中央側壁１７０ａに形成されている窓部１７６の開口部分の下端部１０６は、所定の高さ位置Ｈ１に形成されている。よって、後述するように洗浄水の水位が上昇しながら窓部１７６の高さ位置Ｈ５に到達した場合に、洗浄水が窓部１７６の下端部１０６からフロート上昇速度制御タンク１３８内に一気に流入を開始することとなり、フロート上昇速度制御タンク１３８内に流入する洗浄水の水量を比較的大きくすることができ、フロート上昇速度制御タンク１３８内の洗浄水の水位の上昇速度を増大させ、フロート上昇速度制御タンク１３８内の洗浄水の上昇しようとする水勢をその外部の上昇しようとする水勢よりも強くすることができる。
【００９９】
フロート上昇速度制御タンク１３８の窓部１７６は、その上端部１０７が満水水位ＷＬ０よりも上方に形成されている。よって、窓部１７６は、満水水位ＷＬ０が、窓部１７６上に位置するように形成されている。洗浄水タンク２６内の洗浄水の水位が満水水位ＷＬ０となる場合にはフロート上昇速度制御タンク１３８内の洗浄水の水位も満水水位ＷＬ０となる。
【０１００】
窓部１７６の下端部１０６は、満水水位ＷＬ０の高さよりも低い位置に配置され、且つフロート部５８が浮力を受けて上昇を開始するフロート上昇速度制御タンク１３８内の洗浄水の水位の高さ位置Ｈ２よりも高い位置Ｈ５に配置されている。フロート部５８は、洗浄水タンク２６内の洗浄水の水位の高さ位置Ｈ２（図５参照）においてフロートが浮力を受けて上昇を開始するように構成されている。
また、図１２に示すように、窓部１７６の下端部１０６は、フロート上昇速度制御タンク１３８の底部１７２からの高さ位置Ｈ６に形成されている。フロート部５８は、フロート上昇速度制御タンク１３８の底部１７２からの高さ位置Ｈ７（上述のように洗浄水タンク２６内の洗浄水の水位の高さ位置Ｈ２）においてフロート部５８が浮力を受けて上昇を開始するように構成されている。窓部１７６の下端部１０６の高さ位置Ｈ６は、フロートが上昇を開始する高さ位置Ｈ７よりも高い位置に設定されている。
なお、フロート部５８が上昇した状態となり、リードスイッチ６６がＯＮの状態となる水位の高さ位置は、満水水位ＷＬ０の水位に応じた高さ位置とされ、窓部１７６の下端部１０６よりも高い位置とされている。これに伴い、本実施形態においては、フロートスイッチ３４のリードスイッチ６６も窓部１７６の下端部１０６よりも高い位置に配置されている。従って、仮に、ダンパー部１７５が固着、故障等の何らかの理由により動作できず、フロート上昇速度制御タンク１３８から水抜きができず、フロート上昇速度制御タンク１３８内に洗浄水が貯水されたままとなるような事象が発生した場合においても、洗浄水タンク２６内の水位の下降に合わせ、フロート上昇速度制御タンク１３８内の洗浄水の水位が窓部１７６の下端部１０６まで低下することによりフロート部５８がわずかに下降し、リードスイッチ６６をＯＦＦの状態とすることができ、給水装置２８の給水を行うことができる。
【０１０１】
窓部１７６から流入した洗浄水が所定の高さ位置Ｈ６から流れ落ち且つ底部１７２において勢いよく跳ね返ることにより、フロート部５８を横方向又は上下方向に揺らすようにして静止摩擦力を解除させフロート部５８を上昇させやすくすることができる。フロート部５８を揺らすようにしてフロート部５８とステム５６との間の静止摩擦力を解除させることができれば、フロート部５８をフロート部５８とステム５６との間の動摩擦力（動摩擦力は静止摩擦力よりも小さくなっている）に抗して上昇させることができ、フロート部５８をスムーズに上昇させやすくすることができる。
【０１０２】
窓部１７６の下端部１０６には、窓部１７６の下端部１０６から外方側に向けて延び且つ下り傾斜を形成する庇部１８１が取付けられている。庇部１８１は、窓部１７６の開口幅の全体にわたる幅を有し且つ板状のスロープ部を形成している。庇部１８１は、窓部１７６の下端部１０６から斜め下方に延びる傾斜路を形成している。
庇部１８１は、庇部１８１の先端部において下方向きに向けられた垂下部１８１ａと、庇部１８１の基端部から斜め下方に延びる平板部１８１ｂと、平板部１８１ｂと垂下部１８１ａとの間をなめらかに接続する湾曲部１８１ｃと、を形成している。
庇部１８１の平板部１８１ｂの上面は、洗浄水をこの上面上からフロート上昇速度制御タンク１３８の内部に導く流路を形成するようになっている。平板部１８１ｂは、庇部１８１の先端部から基端部に向かって上昇する比較的平坦な斜面を形成している。なお、庇部１８１は、庇部１８１の傾斜方向に沿って切った断面視において、庇部１８１の先端部から基端部に向かって直線的な平板状に形成されていてもよく、また、庇部１８１の先端部から基端部に向かって全体的に湾曲した形状により形成されていてもよい。
【０１０３】
庇部１８１は、窓部１７６の下端部１０６から斜め下方に延びることにより、洗浄水タンク２６内の洗浄水の水平な水位が庇部１８１の高さにおいて平板部１８１ｂに沿って徐々に上昇する場合において、水平な洗浄水の水面と斜め下方に延びる平板部１８１ｂの上面との間で比較的大きな表面張力が発生することを抑制することができる。従って、洗浄水が庇部１８１の上面から窓部１７６内に流入するタイミングが表面張力の影響を受けて遅れる又はばらつくことを抑制し、フロート上昇速度制御タンク１３８内の水位上昇のタイミングの遅延が生じる問題を低減することができ、フロートスイッチの作動タイミングを精度良く保つことができる。
なお、後述するような庇部１８１が窓部１７６の下端部１０６から水平方向に延びるように形成されている場合と比べて、本実施形態におけるように庇部１８１が窓部１７６の下端部１０６から斜め下方に延びることにより、表面張力の影響をさらに低減し、洗浄水が窓部１７６に流入するタイミングを精度よく設定することができる。
【０１０４】
庇部１８１は、窓部１７６の下端部１０６から外方に向かって斜め下方に延びている。従って、庇部１８１の裏面は、庇部１８１の平板部１８１ｂと湾曲部１８１ｃと垂下部１８１ａとにより、中央側壁１７０ａに沿って存在する小物体が水位（水面）の上昇に伴って中央側壁１７０ａに沿って窓部１７６まで上昇できないように覆う返し部１８１ｄを形成している。具体的には、返し部１８１ｄは、平板部１８１ｂと中央側壁１７０ａとの間に形成される小空間において小物体が水面の上昇に伴ってこれ以上上昇されないように留めることができるようになっている。洗浄水タンク２６内の水位の上昇時に中央側壁１７０ａに沿って上昇する小物体は、返し部１８１ｄに引掛り、これ以上上昇することができないようになっている。このように上昇が制限されて庇部１８１によって引っ掛けられたような状態の小物体は、次回の洗浄水の排水時において、洗浄水と共に下降し、排水口３０から排出される。
本実施形態においては、庇部１８１が窓部１７６の下端部１０６から斜め下方に延びているが、変形例としては庇部１８１が窓部１７６の下端部１０６から水平方向又はほぼ横向きに延びるように形成されていてもよい。横向きに延びる庇部１８１においても、庇部１８１の裏面により、中央側壁１７０ａに沿って存在する小物体が水位（水面）の上昇に伴って中央側壁１７０ａに沿って窓部１７６まで上昇できないように覆う返し部１８１ｄを形成することができる。
【０１０５】
庇部１８１は、さらに、平板部１８１ｂと、垂下部１８１ａとの側部において側壁部１８１ｅを形成している。側壁部１８１ｅは、平板上の縦壁を形成しており、側壁部１８１ｅの下端が平板部１８１ｂの両端及び垂下部１８１ａの左右両側端部に接続されている。また、側壁部１８１ｅの基部側は、窓部１７６の左右両側の縁において中央側壁１７０ａと接続されている。側壁部１８１ｅは、窓部１７６の高さ方向の中央近傍から窓部１７６の下端部１０６まで中央側壁１７０ａと接続されている。よって、側壁部１８１ｅは、庇部１８１の左右両側の側壁を形成するようになっており、窓部１７６への導水路を窓部１７６の正面側に延びる直線的な導水路として形成するようになっている。側壁部１８１ｅは、洗浄水が庇部１８１の側方側から窓部１７６内に流入することを防ぎ、図９において矢印Ｆ１によって示すように、洗浄水を庇部１８１の正面側の洗浄水タンク２６の中央近傍領域から窓部１７６内に流入させるようになっている。このようにして、側壁部１８１ｅは、洗浄水が庇部１８１の側方側から窓部１７６内に流入することを防ぐことができ、小物体が表面張力の作用を受けて側壁１７０ｃに沿って上昇する場合においても、小物体が側壁１７０ｃから窓部１７６内に流入しにくくすることができる。
【０１０６】
フロート上昇速度制御タンク１３８は、給水装置２８による洗浄水タンク２６内への洗浄水の給水により、洗浄水タンク２６内において洗浄水の水位が上昇し、洗浄水の水位が窓部１７６に到達するとき、洗浄水タンク２６内の洗浄水がフロート部５８の下端部分５９より上部側に形成された窓部１７６からフロート上昇速度制御タンク１３８内に流入することにより、フロート上昇速度制御タンク１３８内の洗浄水の水位の上昇速度（水面の上昇速度）が、洗浄水タンク２６内の洗浄水の水位の上昇速度（水面の上昇速度）よりも大きくなるように形成される。
フロート上昇速度制御タンク１３８内の洗浄水の水位の上昇速度が、比較的速い上昇速度であるので、フロート部５８が比較的速い速度の水位の上昇に合わせて増大された浮力を受けることになる。
【０１０７】
フロート上昇速度制御タンク１３８は、内部の水平断面の断面積の大きさを変えることにより、内部の洗浄水の水位の上昇速度を変更するように設定できる。フロート上昇速度制御タンク１３８は、給水装置２８による洗浄水の単位時間あたりの給水流量に対する洗浄水タンク２６内の洗浄水の水位の上昇速度に対して、フロート上昇速度制御タンク１３８内部の洗浄水の水位の上昇速度を、所望の上昇速度に制御することができる。
【０１０８】
つぎに、図８乃至図１５を参照して、本発明の第２実施形態による水洗大便器装置の洗浄動作（作用）を説明する。
なお、以下、本発明の第２実施形態による水洗大便器装置により実行される大洗浄モードと小洗浄モードの２種類の洗浄モードのうち、大洗浄モード時の玉鎖５２による排水弁装置３２の排水弁５４の引き上げ量が小洗浄モード時よりも大きくなり、洗浄水タンク装置２４の排水口３０を開放している時間が長い点と、大洗浄モード時の死水水位（図示せず）が小洗浄モード時よりも低くなる点以外については、大洗浄モードと小洗浄モードの基本動作は共通しているため、大洗浄モードについてのみ説明する。
【０１０９】
図９乃至図１３等に示すように、排水弁装置３２の排水開始前（洗浄を開始する前）の待機状態においては、排水弁装置３２の排水弁５４が排水口３０を閉止しており、洗浄水タンク装置２４内の初期水位が満水水位ＷＬ０となっている。フロート部５８は上昇した状態であり、リードスイッチ６６がＯＮの状態となっており、給水装置２８の給水バルブ４４は閉止された状態となっている。
この待機状態においては、水抜き穴用フロート部１７５ｂは、その内部空間に貯留された空気により上向きの浮力を受け、水抜き穴用フロート部１７５ｂの上面に接続されたダンパー部側シール部１７５ａが水抜き穴部側シール部１７７と当接し、水抜き穴部１７４をシールした状態となっている。従って、流路が遮断された状態において、フロート上昇速度制御タンク１３８内の貯水領域と、洗浄水タンク２６内の貯水領域とは、それぞれ独立した貯水領域を形成している。
【０１１０】
つぎに、使用者が操作部（図示せず）を操作する、又は所定の制御装置３６の判断により、洗浄動作が開始され、排水弁装置３２が洗浄水タンク装置２４の排水口３０を開放し、洗浄水タンク装置２４の排水弁装置３２による水洗大便器装置１の便器本体２への大洗浄モードの排水が開始され、洗浄水タンク２６内の水位が低下し始める。
洗浄水が、洗浄水タンク２６の排水口３０から便器本体２の導水路９へと排出され、洗浄水タンク２６内の水位が下降するとともに、便器洗浄開始の要求指令を受けた制御装置３６が給水装置２８の給水バルブ４４を開弁させ、一定の瞬間流量の洗浄水の吐水口４６から洗浄水タンク２６内への吐水が開始される。
【０１１１】
図１５に示すように、洗浄水タンク２６内の水位がダンパー部１７５の高さよりも低下するとき、水抜き穴用フロート部１７５ｂが下降する。水抜き穴用フロート部１７５ｂの下降に伴って、ダンパー部側シール部１７５ａと水抜き穴部側シール部１７７との当接が解除され、水抜き穴部１７４が開状態にされ、フロート上昇速度制御タンク１３８内の洗浄水が水抜き穴部１７４から洗浄水タンク２６内に流出を開始する。フロート上昇速度制御タンク１３８内の洗浄水が水抜き穴部１７４から洗浄水タンク２６内に流出し、フロート上昇速度制御タンク３８内の水位が徐々に下降する。このとき、フロート上昇速度制御タンク１３８内の洗浄水の水位は、洗浄水タンク２６内の水位よりも高い位置となっている。
【０１１２】
フロート上昇速度制御タンク１３８内の洗浄水の水位が徐々に下降するとき、フロート部５８の高さが水位に伴って徐々に下降する。ダンパー部１７５は、ダンパー部側シール部１７５ａが水抜き穴部側シール部１７７をシールしている閉止姿勢から、ダンパー部側シール部１７５ａを斜めに移動させることにより水抜き穴部１７４を比較的大きく開放する開放姿勢に変化する。ダンパー部側シール部１７５ａが水抜き穴部側シール部１７７から離間して下降するとき、ダンパー部側シール部１７５ａは、支点部１７５ｃを中心とした支持腕１７５ｄの回動に沿って鉛直方向下方に対して斜めの回動方向に沿って下降移動する。このように、ダンパー部１７５が、ダンパー部側シール部１７５ａを支点部１７５ｃを中心として回動させ、ダンパー部側シール部１７５ａを水抜き穴部側シール部１７７から十分に離間させ、少ない移動距離で水抜き穴部１７４の開口を十分に大きく形成することができる。
フロート上昇速度制御タンク１３８内の洗浄水の水位の下降に伴い、フロート部５８の高さが下降すると、マグネット６８の位置が下降するため、リードスイッチ６６がＯＦＦの状態となる。
【０１１３】
図１５に示すように、ダンパー部側シール部１７５ａが水抜き穴部側シール部１７７から離間して斜め下方に移動するので、ダンパー部側シール部１７５ａが依然として水抜き穴部１７４の下方に位置している状態であっても、水抜き穴部１７４の下方に拡がる開口部分が比較的大きくなり、水抜き穴部１７４は比較的大きな開口として開放される。よって、フロート上昇速度制御タンク１３８内に入ったゴミ等の浮遊物等の小物体を水抜き穴部１７４においてつまりにくくさせることができ、且つ比較的大流量の洗浄水と共に水抜き穴部１７４から洗浄水タンク２６内に排出させることができる。また、水抜き穴部１７４は比較的大きな開口として形成されるので、水抜き穴部１７４から流出する洗浄水の流れが比較的強く形成され、小物体がフロート上昇速度制御タンク１３８内において水抜き穴部１７４側に導かれ、水抜き穴部１７４から排出されやすくすることができる。
【０１１４】
つぎに、洗浄水タンク２６内の水位が死水水位（図示せず）まで低下すると、排水弁装置３２が洗浄水タンク２６の排水口３０を閉止する。排水弁装置３２による水洗大便器装置１の便器本体２への大洗浄モードの排水は完了される。このとき、フロート部５８は下降した状態となっており、フロートスイッチ３４のリードスイッチ６６はＯＦＦの状態となっているため、給水バルブ４４が開放されて給水装置２８による洗浄水タンク２６への給水が継続して行われ、洗浄水タンク２６内の水位が死水水位（図示せず）から上昇する。給水装置２８による洗浄水タンク２６への給水は、一定の給水流量（一定の瞬間流量）となっているため、洗浄水タンク２６内の洗浄水の水位は、ほぼ一定の速度で水位上昇することになる。水位の上昇速度は、吐水口４６からの給水流量を洗浄水タンク２６の水平断面の断面積で除すことにより求められる。
【０１１５】
図１０乃至図１３に示すように、さらに、給水装置２８からの給水が継続されて水位が水抜き穴用フロート部１７５ｂの高さまで上昇すると、水抜き穴用フロート部１７５ｂが上昇する。水抜き穴用フロート部１７５ｂの下向きの空間に空気が貯留されることにより水抜き穴用フロート部１７５ｂには上向きの浮力が生じ、ダンパー部側シール部１７５ａと水抜き穴部側シール部１７７とが当接され、水抜き穴部１７４をシールする。すると、洗浄水タンク２６内の洗浄水の水位が、フロート上昇速度制御タンク１３８の下部の外周側まで上昇した場合においても、水抜き穴部１７４がシールされているので、フロート上昇速度制御タンク１３８の内部においては洗浄水が貯水されていないほぼ空の状態が維持される。すなわち、フロート上昇速度制御タンク１３８の内部は、洗浄水が貯水されていない空の内部空間を形成しており、洗浄水が存在していないためフロート部５８が最も下降した状態となっている。
【０１１６】
給水装置２８からの給水又は手洗い器装置からの排水が洗浄水タンク２６内の中央近傍領域に流入される場合において、洗浄水タンク２６内に流入した（又は洗浄水タンク２６内に存在する）小物体は、中央側壁１７０ａよりもさらに外側の洗浄水タンク２６の内側壁２６ａに向かって押し流され、且つ洗浄水タンク２６の内側壁２６ａに表面張力によって引き寄せられる。例えば、小物体は、内側壁２６ａに沿って水面に浮いているような状態となる。給水時に洗浄水の水位が窓部１７６の高さに到達する前に、多くの小物体は内側壁２６ａに向かって押し流され、内側壁２６ａに沿って水面に浮いているような状態となる。また、給水時に洗浄水の水位が窓部１７６の高さに到達した場合においても、多くの小物体は内側壁２６ａに向かって押し流され、内側壁２６ａに沿って水面に浮いているような状態となる。このように、小物体が表面張力により内側壁２６ａに沿っている場合には、小物体が内側壁２６ａから窓部１７６まで壁面に沿って移動しにくくなっているため、小物体が窓部１７６内に流入してフロート上昇速度制御タンク１３８の内部内のつまりを生じさせにくくなっている。
また、小物体がフロート上昇速度制御タンク１３８の内部に流入し、小物体がフロート部５８とステム５６との間に噛み込まれる又は絡まることによるフロート部５８の動作不良を生じさせることを抑制することができる。
【０１１７】
上述のように小物体は基本的には内側壁２６ａに向かって流されやすくなっているが、洗浄水タンク２６内の水面が上昇している際に、小物体がフロート上昇速度制御タンク１３８の縦壁１７０に表面張力の作用を受けて沿う位置に存在してしまっている場合においては、中央側壁１７０ａ側に沿うように存在する小物体を返し部１８１ｄに引掛け、水面の上昇に対してこれ以上上昇することができないようにし、窓部１７６に流入させにくくすることができる。このように中央側壁１７０ａに引き寄せられるように存在している小物体を中央側壁１７０ａに形成された窓部１７６に流入させにくくすることができる。
【０１１８】
また、洗浄水タンク２６内の水面が上昇している際に、小物体が表面張力の作用を受けてフロート上昇速度制御タンク１３８の縦壁１７０に沿う位置に存在してしまっている場合においては、側壁１７０ｃ側に沿うように存在する小物体を、側壁部１８１ｅにより側壁１７０ｃ側から窓部１７６内に流れ込みにくくすることができる。側壁部１８１ｅが側壁１７０ｃ側から窓部１７６内に向かう流れを形成しにくくすることができる。
【０１１９】
洗浄水タンク２６内の洗浄水の水位がさらに上昇し、窓部１７６の下端部１０６に到達するとき、洗浄水タンク２６内の洗浄水が洗浄水タンク２６中央側に向けて開口する窓部１７６からフロート上昇速度制御タンク１３８の内部に流入する。洗浄水タンク２６内の洗浄水の水平な水位が平板部１８１ｂに沿って徐々に上昇する場合において、水平な洗浄水の水面と斜め下方に延びる平板部１８１ｂの上面との間で比較的大きな表面張力が発生することが抑制され、洗浄水の水位が下端部１０６に到達するとすぐに、遅延なく、窓部１７６内に洗浄水の流入が開始される。
【０１２０】
給水装置２８から給水される一定の給水流量がフロート上昇速度制御タンク１３８の大開口として形成された窓部１７６から一気にフロート上昇速度制御タンク１３８の内部に流入するので、フロート上昇速度制御タンク１３８の内部における洗浄水の水位の上昇速度は、洗浄水タンク２６内の洗浄水の水位の上昇速度よりも大きくなる。このとき、フロート上昇速度制御タンク１３８の内部の貯水可能領域Ｓ１の水平断面の断面積は、洗浄水タンク２６の水平断面の内部の貯水可能領域Ｓ２の断面積の３０分の１〜３分の１の範囲、好ましくは２５分の１〜２０の１の範囲とされているので、同じ一定の給水流量がフロート上昇速度制御タンク１３８内に流入した場合においても、フロート上昇速度制御タンク１３８の内部における洗浄水の水位の上昇速度は外部の上昇速度よりも速くなる。フロート上昇速度制御タンク１３８内の洗浄水の水位の上昇速度は、洗浄水タンク２６内の洗浄水の水位の上昇速度の３倍〜２３倍の範囲、好ましくは１５倍〜２３倍の範囲とされている。
【０１２１】
フロート上昇速度制御タンク１３８内の洗浄水の水位の上昇速度が比較的速い上昇速度であるので、フロート部５８が比較的速い速度の水位の上昇に合わせて増大された浮力及び上昇方向への上昇エネルギーを受けることになる。フロートスイッチ３４のフロート部５８がステム５６との間において静止摩擦力の発生、気泡の付着等の移動を妨げようとする力を受ける（生じている）場合においても、フロート部５８がフロート部５８とステム５６との間の移動を妨げようとする力に打ち勝つような増大された浮力及び上昇エネルギー等を受けてステム５６に対して水位の上昇に対してタイムラグを生じることなく上昇する。
【０１２２】
また、給水時に洗浄水の水位が窓部１７６に到達するとき、洗浄水がフロート部５８の下端部分より上方側に形成された窓部１７６から空のフロート上昇速度制御タンク１３８内に一気に落下する。このとき、フロート上昇速度制御タンク１３８内に落下する洗浄水が空のフロート上昇速度制御タンク１３８内で跳ね返り、さらに水面の乱れを生じさせ、水面を波立たせ、フロート部５８を上下方向及び前後左右方向に揺らすことにより、フロート部５８がフロート部５８とステム５６との間の静止摩擦力等の移動を妨げようとする力に打ち勝つような力を受け、フロート部５８とステム５６との間の静止摩擦力を解除させ、フロート部５８をステム５６に対してスムーズに上昇させる。
【０１２３】
フロート部５８の上昇が開始された後、フロート上昇速度制御タンク１３８内の洗浄水の水位の上昇に伴い、フロート部５８がフロート部５８とステム５６との間の動摩擦力等の移動を妨げようとする力に打ち勝つような力（例えば浮力等）を受け続け、フロート部５８をステム５６に対してスムーズに上昇させる。洗浄水タンク２６内の水位が満水水位ＷＬ０となり、フロート部５８が満水水位ＷＬ０の水位に応じた高さ位置まで上昇されると、フロート部５８の上方向への移動に伴ってマグネット６８の位置も上方向に移動され、リードスイッチ６６がＯＦＦの状態からＯＮの状態に変化する。フロートスイッチ３４のリードスイッチ６６が給水停止信号を制御装置３６に対して発信し、これを受信した制御装置３６が給水バルブ４４が閉弁させ、吐水口４６が止水される。これにより、洗浄水タンク２６内の洗浄水の水位は、所定の満水水位ＷＬ０に維持される。洗浄水タンク２６内の洗浄水の水位が満水水位ＷＬ０になり、給水バルブ４４が閉弁すると、洗浄水タンク装置２４の一連の洗浄動作は完了し、待機状態に戻る。
【０１２４】
上述した本発明の第２実施形態による水洗大便器装置１０１によれば、フロート上昇速度制御タンク１３８は、給水時に洗浄水タンク２６内において洗浄水の水位が上昇し、洗浄水の水位が窓部１７６に到達するとき、洗浄水タンク２６内の洗浄水がフロート部５８の下端部分５９より上部に形成された窓部１７６からフロート上昇速度制御タンク１３８内に流入するように形成されている。フロート上昇速度制御タンク１３８内の洗浄水の水位の上昇速度は、洗浄水タンク２６内の洗浄水の水位の上昇速度よりも増大される。よって、フロート部５８が、増大された水位の上昇速度に対応して、増大された浮力を受ける。従って、フロートスイッチ３４のフロート部５８がステム５６との間において静止摩擦力の発生、気泡の付着等の移動を妨げようとする力を受ける場合においても、フロート部５８がフロート部５８とステム５６との間の移動を妨げようとする力に打ち勝つような増大された浮力を受けてステム５６に対して上昇しやすくなる。よって、洗浄水の水位が上昇しているにも関わらずフロート部５８がステム５６上で移動を妨げられ、フロートスイッチ３４が適切なタイミングで動作せず、給水の停止のタイミングが遅れることを抑制することができる。
また、給水時に洗浄水の水位が窓部１７６に到達するとき、洗浄水がフロート部５８の上部側に形成された窓部１７６からフロート上昇速度制御タンク１３８内に落下するため、水面の乱れを生じさせ、フロート部５８を揺らすことにより、フロート部５８がフロート部５８とステム５６との間の静止摩擦力に打ち勝つような力を受け、フロート部５８とステム５６との間の静止摩擦力を解除させやすくして、フロート部５８をステム５６に対して上昇させやすくすることができる。よって、洗浄水の水位が上昇しているにも関わらずフロート部５８がステム５６上で移動を妨げられ、フロートスイッチ３４が適切なタイミングで動作せず、給水の停止のタイミングが遅れることを抑制することができる。従って、フロートスイッチ３４を確実に動作させ、給水の停止を確実に行うことができる。
【０１２５】
また、本実施形態による水洗大便器装置１０１によれば、洗浄水タンク２６内に入ったゴミ、浮遊物等の小物体は、表面張力により洗浄水タンク２６の内側壁２６ａに集まりやすい。従って、フロート上昇速度制御タンク１３８の窓部１７６を、洗浄水タンク２６の中央領域側のフロート上昇速度制御タンク１３８の中央側壁１７０ａにおいて形成することにより、洗浄水タンク２６の内側壁面に集まるゴミ、浮遊物等の小物体が、洗浄水タンク２６の中央領域側の窓部１７６内へ浸入することを抑制することができる。
【０１２６】
また、本実施形態による水洗大便器装置１０１によれば、洗浄水タンク２６内に入った浮遊物等の小物体が、表面張力によりフロート上昇速度制御タンク１３８の窓部１７６の下方の外壁面（例えば中央側壁１７０ａ）に沿って存在する場合においても、庇部１８１が窓部１７６の下端部１０６から外方に向かって延びるので、洗浄水タンク２６内の水位の上昇に伴って上昇する小物体を、窓部１７６の下方から窓部１７６の高さまで上昇させないように庇部１８１によって引っかけることができる。従って、フロート上昇速度制御タンク１３８の窓部１７６の下方の外壁面に沿う位置に存在する小物体が、フロート上昇速度制御タンク１３８の窓部１７６内へ浸入することを抑制することができる。
【０１２７】
また、本実施形態による水洗大便器装置１０１によれば、洗浄水タンク２６内に入った浮遊物等の小物体が、表面張力によりフロート上昇速度制御タンク１３８の窓部１７６の下方の外壁面（例えば中央側壁１７０ａ）に沿って存在する場合においても、庇部１８１が窓部１７６の下端部１０６から外方に向かって斜め下方に延びるので、洗浄水タンク２６内の水位の上昇に伴って上昇する小物体を、窓部１７６の下方から窓部１７６の高さまで上昇させないように庇部１８１によって引っかけることができる。従って、フロート上昇速度制御タンク１３８の窓部１７６の下方の外壁面（例えば中央側壁１７０ａ）に沿う位置に存在する小物体が、フロート上昇速度制御タンク１３８の窓部１７６内へ浸入することを抑制することができる。
また、洗浄水タンク２６内の洗浄水の水位が庇部１８１の高さにおいて徐々に上昇する場合において、庇部１８１が窓部１７６の下端部１０６から外方に向かって斜め下方に延びているので、水平な洗浄水の水面と斜め下方に延びる庇部１８１の上面との間で比較的大きな表面張力が発生することを抑制することができる。従って、洗浄水が庇部１８１の上面から窓部１７６内に流入するタイミングが表面張力の影響により遅れる又はばらつくことを抑制することができ、フロート上昇速度制御タンク１３８内の水位上昇のタイミングの遅延が生じる問題を低減することができ、フロートスイッチ３４の作動タイミングを精度良く保つことができる。
【０１２８】
また、本実施形態による水洗大便器装置１０１によれば、フロート上昇速度制御タンク１３８の取付開口部は、ステム５６に取付けられた状態で、ステム５６に対するフロート上昇速度制御タンク１３８の傾きを抑制する返し部１７３ｃを備えているので、フロート上昇速度制御タンク１３８の傾きをほぼ水平に保持することができ、フロート上昇速度制御タンク１３８内の洗浄水の水位の傾きを抑制し、フロートスイッチ３４の作動タイミングを精度良く保つことができる。
【０１２９】
また、本実施形態による水洗大便器装置１０１によれば、フロート上昇速度制御タンク１３８のダンパー部１７５は、閉止姿勢からダンパー部側シール部１７５ａを斜めに移動させることにより水抜き穴部１７４を比較的大きく開放する開放姿勢を有するので、水抜き穴部１７４を比較的大きく開放することができ、フロート上昇速度制御タンク１３８内に入った浮遊物等の小物体を水抜き穴部１７４においてつまりにくくさせることができ、且つ比較的大流量の洗浄水と共に水抜き穴部１７４から洗浄水タンク２６内に排出させることができる。従って、小物体がフロート上昇速度制御タンク１３８内に入った場合においても、小物体によるフロートスイッチ３４の動作不良及び水抜き穴部１７４におけるつまりを抑制させることができ、フロート上昇速度制御タンク１３８の信頼性を向上させることができる。
【０１３０】
最後に、本発明の第１実施形態による水洗大便器装置１及び/又は第２実施形態による水洗大便器装置１０１の変形例について説明する。
例えば、一つの変形例としては、本発明の第１実施形態による水洗大便器装置１におけるようにフロート上昇速度制御タンク３８のほぼ全周にわたって形成された窓部７６の全て又は一部に、第２実施形態による水洗大便器装置１０１におけるような窓部７６の下端部１０６から外方側に向けて延び且つ斜め下方に下り傾斜を形成する庇部１８１が取付けられていてもよい。
【０１３１】
また、別の一つの変形例としては、例えば、本発明の第１実施形態による水洗大便器装置１におけるようにフロート上昇速度制御タンク３８の複数の縦壁７０に形成された複数の窓部７６の全て又は一部に、第２実施形態による水洗大便器装置１０１におけるような窓部７６の下端部１０６から外方側に向けて延び且つ斜め下方に下り傾斜を形成する庇部１８１が取付けられていてもよい。
【０１３２】
また、別の一つの変形例としては、例えば、本発明の第１実施形態による水洗大便器装置１における水洗大便器装置１のフロート上昇速度制御タンク３８の水抜き穴部７４の構造に代えて、第２実施形態による水洗大便器装置１０１におけるフロート上昇速度制御タンク１３８の水抜き穴部１７４の構造を適用した水洗大便器装置を構成してもよい。
【０１３３】
また、別の一つの変形例としては、例えば、上述の及び他の変形例の一部又は複数を組合せることにより水洗大便器装置を構成してもよい。
【符号の説明】
【０１３４】
１、１０１    水洗大便器装置
２            便器本体
４            ボウル部
６            排水トラップ管路
６ａ          入口
８            リム
９            導水路
１０          第１吐水口
１２          溜水部
１４          第２吐水口
１６          洗浄ユニット
１８          ケーシングプレート
２０          ノズル部
２２          局部洗浄装置
２４          洗浄水タンク装置
２６          洗浄水タンク
２６ａ        内側壁
２８          給水装置
３０          排水口
３２          排水弁装置
３４          フロートスイッチ
３６          制御装置
３７          停電時用フロート部
３８          フロート上昇速度制御タンク
４０          洗浄水タンク蓋
４２          給水管
４４          給水バルブ
４６          吐水口
４８          オーバーフロー管
４８ａ        上端開口部
５０          駆動装置
５２          玉鎖
５４          排水弁
５６          ステム
５６ａ        先端部
５６ｂ        縁部
５８          フロート部
５９          下端部分
６０          取付部
６２          ネジ
６６          リードスイッチ
６８          マグネット
７０          縦壁
７２          底部
７４          穴部
７６          窓部
７８          第一筒状部
８０          第二筒状部
８２          水抜き穴用フロート部
８４          スナップ固定支持部
８６          スナップ固定部
８８          溝部
９０          第一筒状内流路
９２          第二筒状内流路
９４          平坦部
９６          内部空間
９８          フロート用スナップ部
９９          穴用フロート支持部
１００        上面
１０２        シール部
１０４        支持部
１０６        下端部
１０７        上端部
１３８        フロート上昇速度制御タンク
１７０        縦壁
１７０ａ      中央側壁
１７０ｂ      壁側縦壁
１７０ｃ      側壁
１７２        底部
１７３        ステム取付部
１７３ａ      円形開口部
１７３ｂ      切れ込み部
１７３ｃ      返し部
１７４        水抜き穴部
１７５        ダンパー部
１７５ａ      ダンパー部側シール部
１７５ｂ      水抜き穴用フロート部
１７５ｃ      支点部
１７５ｄ      支持腕
１７６        窓部
１７７        水抜き穴部側シール部
１７９        ダンパー取付部
１７９ａ      凸部
１８１        庇部
１８１ａ      垂下部
１８１ｂ      平板部
１８１ｃ      湾曲部
１８１ｄ      返し部
１８１ｅ      側壁部
Ｃ１          横断線
Ｄ１          直径
Ｄ２          直径
Ｄ３          直径
Ｆ１          矢印
Ｈ１          位置
Ｈ２          位置
Ｈ３          位置
Ｈ５          位置
Ｈ６          位置
Ｈ７          位置
ｓ            隙間
Ｓ１          貯水可能領域
Ｓ２          貯水可能領域
Ｗ０          溜水面
ＷＬ０        満水水位
【図１】
0006745031.tif 000002
【図２】
0006745031.tif 000003
【図３】
0006745031.tif 000004
【図４】
0006745031.tif 000005
【図５】
0006745031.tif 000006
【図６】
0006745031.tif 000007
【図７】
0006745031.tif 000008
【図８】
0006745031.tif 000009
【図９】
0006745031.tif 000010
【図１０】
0006745031.tif 000011
【図１１】
0006745031.tif 000012
【図１２】
0006745031.tif 000013
【図１３】
0006745031.tif 000014
【図１４】
0006745031.tif 000015
【図１５】
0006745031.tif 000016